(57)【要約】【課題】高ズーム比、大口径比で、全ズーム範囲に渡り高い光学性能が容易に得られるズームレンズを得ること。【解決手段】物体側より像側へ順に配置された、正の屈折力の第１レンズ群、負の屈折力の第２レンズ群、１つ以上のレンズ群を含む後群より構成され、  ズーミングに際して、隣り合うレンズ群の間隔が変化するズームレンズであって、  第１レンズ群は１枚以上の正レンズを有し、  第１レンズ群に含まれる少なくとも１つの正レンズＧ１ｐの材料は、材料の屈折率をｎｄ、材料のアッベ数をνｄ、材料の部分分散比をθｇＦを各々適切に設定すること。【選択図】図１
2019204001.tif 000002
【特許請求の範囲】
【請求項１】
複数のレンズ群を有し、ズーミングに際して隣り合うレンズ群の間隔が変化するズームレンズであって、
前記複数のレンズ群は、物体側より像側へ順に配置された、正の屈折力の第１レンズ群、負の屈折力の第２レンズ群、１つ以上のレンズ群を含む後群より構成され、
前記第１レンズ群は１つ以上の正レンズを有し、
前記第１レンズ群に含まれる少なくとも１つの正レンズＧ１ｐの材料は、材料の屈折率をｎｄ、材料のアッベ数をνｄ、材料の部分分散比をθｇＦとするとき、
θｇＦ−（−１．６６５×１０−７×νｄ３＋５．２１３×１０−５×νｄ２−５．６５６×１０−３×νｄ＋０．７３７）＞０
５０．００＜νｄ＜６７．００
１．５５０≦ｎｄ≦１．７５０
なる条件式を満足することを特徴とするズームレンズ。
【請求項２】
前記正レンズＧ１ｐの材料の部分分散比θｇＦは、
０．５４４３＜θｇＦ＜０．６０００
なる条件式を満足することを特徴とする請求項１に記載のズームレンズ。
【請求項３】
前記正レンズＧ１ｐの材料の−３０℃以上＋７０℃以下における平均線膨張係数（１０−５／Ｋ）をαとするとき、
０．５０＜α＜５．００
なる条件式を満足することを特徴とする請求項１または２に記載のズームレンズ。
【請求項４】
前記第１レンズ群は、ズーミングに際して移動することを特徴とする請求項１乃至３のいずれか１項に記載のズームレンズ。
【請求項５】
広角端における前記ズームレンズの焦点距離をｆＷ、前記第１レンズ群の焦点距離をｆ１とするとき、
４．００＜ｆ１／ｆＷ＜６０．００
なる条件式を満足することを特徴とする請求項４に記載のズームレンズ。
【請求項６】
前記第１レンズ群は、広角端に比べて望遠端において物体側に位置するようにズーミングに際して移動し、広角端から望遠端における前記第１レンズ群の移動量をＭ１とするとき、
０．１０＜｜Ｍ１｜／ｆＷ＜４０．００
なる条件式を満足することを特徴とする請求項４または５に記載のズームレンズ。
【請求項７】
前記第１レンズ群の焦点距離をｆ１、望遠端における前記ズームレンズの焦点距離をｆＴとするとき、
０．１０＜ｆＴ／ｆ１＜４．００
なる条件式を満足することを特徴とする請求項４乃至６のいずれか１項に記載のズームレンズ。
【請求項８】
前記第１レンズ群の焦点距離をｆ１、前記第２レンズ群の焦点距離をｆ２とするとき、
３．００＜ｆ１／｜ｆ２｜＜２０．００
なる条件式を満足することを特徴とする請求項４乃至７のいずれか１項に記載のズームレンズ。
【請求項９】
前記第１レンズ群の焦点距離をｆ１、前記正レンズＧ１ｐの焦点距離をｆｐとするとき、
０．４０＜ｆｐ／ｆ１＜６．００
なる条件式を満足することを特徴とする請求項４乃至８のいずれか１項に記載のズームレンズ。
【請求項１０】
広角端から望遠端へのズーミングにおける、前記第１レンズ群の広角端における位置から最も像側に位置するときの移動量をＭ１ｂとするとき、
０．０１＜｜Ｍ１ｂ／Ｍ１｜＜２．００
なる条件式を満足すること特徴とする請求項４乃至９のいずれか１項に記載のズームレンズ。
【請求項１１】
前記第２レンズ群の像側に隣接して配置された開口絞りを有し、
前記後群は、該開口絞りの像側に隣接して配置された正の屈折力の第３レンズ群を有し、
前記第１レンズ群の焦点距離をｆ１、前記第３レンズ群の焦点距離をｆ３とするとき、
３．５０＜ｆ１／ｆ３＜１３．００
なる条件式を満足することを特徴とする請求項４乃至１０のいずれか１項に記載のズームレンズ。
【請求項１２】
前記開口絞りはズーミングに際して他のレンズ群とは異なった軌跡で移動し、広角端における前記開口絞りと前記第３レンズ群の間隔をＤＷ、望遠端における前記開口絞りと前記第３レンズ群の間隔をＤＴとするとき、
１．００＜ＤＷ／ＤＴ＜７００．００
なる条件式を満足することを特徴とする請求項１１に記載のズームレンズ。
【請求項１３】
広角端から望遠端へのズーミングにおける前記開口絞りの移動量をＭＳ、広角端から望遠端へのズーミングにおける前記第３レンズ群の移動量をＭ３とするとき、
０．３０＜ＭＳ／Ｍ３＜１．３０
なる条件式を満足することを特徴とする請求項１１または１２に記載のズームレンズ。
【請求項１４】
前記正レンズＧ１ｐの物体側のレンズ面の曲率半径をＲ１ｐ、前記正レンズＧ１ｐの像側のレンズ面の曲率半径をＲ２ｐとするとき、
−２．００＜（Ｒ１ｐ−Ｒ２ｐ）／（Ｒ１ｐ＋Ｒ２ｐ）＜−０．１０
なる条件式を満足することを特徴とする請求項４乃至１３のいずれか１項に記載のズームレンズ。
【請求項１５】
前記第２レンズ群の焦点距離をｆ２、望遠端における前記ズームレンズの焦点距離をｆＴとするとき、
１．００＜ｆＴ／｜ｆ２｜＜７５．００
なる条件式を満足することを特徴とする請求項４乃至１４のいずれか１項に記載のズームレンズ。
【請求項１６】
広角端から望遠端へのズーミングに際して、前記第１レンズ群は像側に凸状の軌跡で移動することを特徴とする請求項４乃至１５のいずれか１項に記載のズームレンズ。
【請求項１７】
前記第１レンズ群は、ズーミングに際して不動であることを特徴とする請求項１乃至３のいずれか１項に記載のズームレンズ。
【請求項１８】
前記第１レンズ群の焦点距離をｆ１、望遠端における前記ズームレンズの焦点距離をｆＴとするとき、
０．２０＜ｆＴ／ｆ１＜６．５０
なる条件式を満足することを特徴とする請求項１７に記載のズームレンズ。
【請求項１９】
前記第１レンズ群の焦点距離をｆ１、前記第２レンズ群の焦点距離をｆ２とするとき、
１．００＜ｆ１／｜ｆ２｜＜１２．００
なる条件式を満足することを特徴とする請求項１７または１８に記載のズームレンズ。
【請求項２０】
前記第１レンズ群の焦点距離をｆ１、前記正レンズＧ１ｐの焦点距離をｆｐとするとき、
０．４０＜ｆｐ／ｆ１＜４０．００
なる条件式を満足することを特徴とする請求項１７乃至１９のいずれか１項に記載のズームレンズ。
【請求項２１】
前記第２レンズ群の焦点距離をｆ２、望遠端における前記ズームレンズの焦点距離をｆＴとするとき、
１．００＜ｆＴ／｜ｆ２｜＜６０．００
なる条件式を満足することを特徴とする請求項１７乃至２０のいずれか１項に記載のズームレンズ。
【請求項２２】
望遠端における前記ズームレンズの焦点距離をｆＴ、広角端から望遠端へのズーミングにおける前記第２レンズ群の移動量をＭ２とするとき、
０．０５＜Ｍ２／ｆＴ＜２．００
なる条件式を満足することを特徴とする請求項１７乃至２１のいずれか１項に記載のズームレンズ。
【請求項２３】
前記正レンズＧ１ｐの物体側のレンズ面の曲率半径をＲ１ｐ、前記正レンズＧ１ｐの像側のレンズ面の曲率半径をＲ２ｐとするとき、
−２．５＜（Ｒ１ｐ−Ｒ２ｐ）／（Ｒ１ｐ＋Ｒ２ｐ）＜−０．１
なる条件式を満足することを特徴とする請求項１７乃至２２のいずれか１項に記載のズームレンズ。
【請求項２４】
前記第２レンズ群は広角端から望遠端へのズーミングに際して像側に移動することを特徴とする請求項１７乃至２３のいずれか１項に記載のズームレンズ。
【請求項２５】
前記第１レンズ群は、フォーカシングに際して不動の第１部分群と、無限遠物体から近距離物体へのフォーカシングに際して物体側に移動する第２部分群を有することを特徴とする請求項２４に記載のズームレンズ。
【請求項２６】
前記第１部分群は負の屈折力を有し、前記第２部分群は正の屈折力を有することを特徴とする請求項２５に記載のズームレンズ。
【請求項２７】
第１レンズ群は、フォーカシングに際して不動の第１部分群と、無限遠物体から近距離物体へのフォーカシングに際して像側に移動する第２部分群と、フォーカシングに際して不動の第３部分群とを有することを特徴とする請求項２４に記載のズームレンズ。
【請求項２８】
前記第１部分群は負の屈折力を有し、前記第２部分群は正の屈折力を有し、前記第３部分群は正の屈折力を有することを特徴とする請求項２７に記載のズームレンズ。
【請求項２９】
第１レンズ群は、フォーカシングに際して不動の第１部分群と、無限遠物体から近距離物体へのフォーカシングに際して物体側に移動する第２部分群と、無限遠物体から近距離物体へのフォーカシングに際して物体側に移動する第３部分群とを有することを特徴とする請求項２４に記載のズームレンズ。
【請求項３０】
前記第１部分群は負の屈折力を有し、前記第２部分群は正の屈折力を有し、前記第３部分群は正の屈折力を有することを特徴とする請求項２９に記載のズームレンズ。
【請求項３１】
請求項１乃至３０のいずれか１項記載のズームレンズと、該ズームレンズによって形成される像を受光する光電変換素子を有していることを特徴とする撮像装置。
【発明の詳細な説明】
【技術分野】
【０００１】
本発明は、ズームレンズ及びそれを有する撮像装置に関し、例えばスチルカメラ、ビデオカメラ、テレビカメラ、シネマカメラ及び監視カメラ等の撮像装置の撮像光学系として好適なものである。
【背景技術】
【０００２】
近年、撮像素子を用いた撮像装置（カメラ）の高機能化にともない、それに用いる撮像光学系には高ズーム比、大口径比で高い光学性能を有するズームレンズであることが求められている。
【０００３】
これらの要求に応えるズームレンズとして、物体側より像側へ順に配置された、正の屈折力のレンズ群、負の屈折力のレンズ群、そしてそれに続く１つ以上のレンズ群を含む後群より構成されるポジティブリード型のズームレンズが知られている。
【０００４】
後群のレンズ構成としては、正の屈折力の１つのレンズ群による構成、複数の正の屈折力のレンズ群による構成、正の屈折力のレンズ群と負の屈折力のレンズ群をそれぞれ１つ以上有する構成等が知られている（特許文献１）。
【０００５】
特許文献１では物体側から像側へ順に配置された、正、負、正、負、正の屈折力の第１レンズ群乃至第５レンズ群よりなり、隣り合うレンズ群の間隔を変えてズーミングを行うズームレンズを開示している。第１レンズ群が正の屈折力を有する、ポジティブリードタイプのズームレンズでは、第１レンズ群が負の屈折率を有するネガティブリードタイプのズームレンズに比べ、高ズーム比化が比較的容易である。
【０００６】
一般に、ポジティブリード型のズームレンズでは、第１レンズ群により結像された像を、第２レンズ群以降のレンズ群を移動させて拡大又は縮小することでズーミングを行なっている。このため、ポジティブリードタイプのズームレンズは、第１レンズ群にて発生した収差が後続レンズ群によって拡大されるため、第１レンズ群のレンズ構成が収差補正上、重要となる。
【先行技術文献】
【特許文献】
【０００７】
【特許文献１】特開２０１１−１２３３３７号公報
【発明の概要】
【発明が解決しようとする課題】
【０００８】
ポジティブリードのズームレンズにおいては正の屈折力の第１レンズ群より発生する諸収差が光学性能に大きく影響してくる。
【０００９】
このため、第１レンズ群のレンズ構成を適切に設定することが重要になる。例えば、色収差を良好に補正するには、第１レンズ群に含まれる正レンズに高屈折率であり、異常分散性を持つ材料を使用するのが有効である。しかしながら単に第１レンズ群に含まれる正レンズに異常分散性の材料を用いただけでは、色収差を良好に補正するのが難しい。
【００１０】
光学ガラスは縦軸に部分分散比θｇＦが上方向に大きな値となるように、アッベ数を横軸に左方向が大きな値となるようにとった図２６のグラフ（以下「θｇＦ−νｄ図」と呼ぶ）上にマッピングさせる。そうすると、ノーマルラインと呼ばれる直線に沿って分布することが知られている。
【００１１】
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとする。このとき、
νｄ＝（Ｎｄ−１）／（ＮＦ−ＮＣ）
θｇＦ＝（Ｎｇ−ＮＦ）／（ＮＦ−ＮＣ）
で表される量である。
【００１２】
一般に色収差のうち軸上色収差を低減する方法として、正の屈折力の第１レンズ群内の正レンズの材料に蛍石のような異常分散性の材料を使用することが知られている。異常分散性の材料は、図２６のθｇＦ−νｄ図のノーマルラインに対して離れた領域に位置している。
【００１３】
一般的に長焦点化されたポジティブリードのズームレンズにおいて、軸上光線は第１レンズ群において、第１レンズ群の有効径内の大きな比率を通過し、軸上色収差の二次スペクトルや波長毎の球面収差の差が発生しやすい。
【００１４】
第１レンズ群において、軸上色収差の二次スペクトルを良好に補正するためには、θｇＦ−νｄ図において、第１レンズ群を構成する正レンズの材料と負レンズの硝材を結んだ直線の傾きを緩くすること必要である。
【００１５】
例えば、蛍石のようにアッベ数が大きく、θｇＦ−νｄ図においてノーマルラインから部分分散比θｇＦが大きくなる方向の離れた領域にある材料を第１レンズ群内の正レンズに用いるのが有効である。さらに、ランタン系の硝材のように、θｇＦ−νｄ図においてノーマルラインから部分分散比θｇＦが小さくなる方向の領域にある材料を第１レンズ群内の負レンズに用いるのが有効である。
【００１６】
このような組み合わせでは第１レンズ群内での正レンズの材料と負レンズの材料を結ぶ直線の傾きがノーマルラインよりも大幅に緩くなり、軸上色収差の二次スペクトルを補正する効果がある。このように第１レンズ群に含まれるレンズに使用する材料を最適化することにより、第１レンズ群のレンズ枚数を抑えつつも、軸上色収差の二次スペクトルを小さくすることが容易となる。しかしながら、このようなアッベ数が大きく異常分散性のある材料は一般に屈折率が低い。
【００１７】
屈折率の低いと光軸方向の厚いレンズになりやすく、レンズ系の中で最も大きな有効径である第１レンズ群に使用すると第１レンズ群の厚みが増し全系が大型化してくる。このため、異常分散性を持ちつつも高屈折率である材料が望まれている。
【００１８】
一方、広角端においては、第１レンズ群に含まれるレンズに異常分散性の材料を使用すると倍率色収差が増加する方向にある。望遠端において軸上色収差を低減するために、第１レンズ群に含まれるレンズに異常分散性のある材料を使用すると、広角端において倍率色収差が増加する場合がある。このように、単に異常分散性のある材料を使用するだけでは、全ズーム範囲にわたり、高い光学性能を得ることは難しい。
【００１９】
このような、ノーマルラインから離れた領域にある材料を用いて、高ズーム比化を図りつつ、全体の小型化を図るには、ズームレンズの構成を適切に設定することが重要になってくる。
【００２０】
本発明は、高ズーム比、大口径比で、全ズーム範囲に渡り高い光学性能が容易に得られるズームレンズ及びそれを有する撮像装置の提供を目的とする。
【課題を解決するための手段】
【００２１】
本発明のズームレンズは、物体側より像側へ順に配置された、正の屈折力の第１レンズ群、負の屈折力の第２レンズ群、１つ以上のレンズ群を含む後群より構成され、
ズーミングに際して、隣り合うレンズ群の間隔が変化するズームレンズであって、
前記第１レンズ群は１枚以上の正レンズを有し、
前記第１レンズ群に含まれる少なくとも１つの正レンズＧ１ｐの材料は、材料の屈折率をｎｄ、材料のアッベ数をνｄ、材料の部分分散比をθｇＦとするとき、
θｇＦ−（−１．６６５×１０−７×νｄ３＋５．２１３×１０−５×νｄ２−５．６５６×１０−３×νｄ＋０．７３７）＞０
５０．０＜νｄ＜６７．０
１．５５０≦ｎｄ≦１．７５０
なる条件式を満足することを特徴としている。
【発明の効果】
【００２２】
本発明によれば、高ズーム比、大口径比で、全ズーム範囲に渡り高い光学性能が容易に得られるズームレンズが得られる。
【図面の簡単な説明】
【００２３】
【図１】実施例１のズームレンズの広角端におけるレンズ断面図
【図２】実施例１のズームレンズの収差図
【図３】実施例２のズームレンズの広角端におけるレンズ断面図
【図４】実施例２のズームレンズの収差図
【図５】実施例３のズームレンズの広角端におけるレンズ断面図
【図６】実施例３のズームレンズの収差図
【図７】実施例４のズームレンズの広角端におけるレンズ断面図
【図８】実施例４のズームレンズの収差図
【図９】実施例５のズームレンズの広角端におけるレンズ断面図
【図１０】実施例５のズームレンズの収差図
【図１１】実施例６のズームレンズの広角端におけるレンズ断面図
【図１２】実施例６のズームレンズの収差図
【図１３】実施例７のズームレンズの広角端におけるレンズ断面図
【図１４】実施例７のズームレンズの収差図
【図１５】実施例８のズームレンズの広角端におけるレンズ断面図
【図１６】実施例８のズームレンズの収差図
【図１７】実施例９のズームレンズの広角端におけるレンズ断面図
【図１８】実施例９のズームレンズの収差図
【図１９】実施例１０のズームレンズの広角端におけるレンズ断面図
【図２０】実施例１０のズームレンズの収差図
【図２１】実施例１１のズームレンズの広角端におけるレンズ断面図
【図２２】実施例１１のズームレンズの収差図
【図２３】実施例１２のズームレンズの広角端におけるレンズ断面図
【図２４】実施例１２のズームレンズの収差図
【図２５】実施例の撮像装置の要部概略図
【図２６】θｇＦ−νｄ図
【図２７】実施例のの撮像装置の要部概略図
【発明を実施するための形態】
【００２４】
次に本発明のズームレンズの各実施例を説明する。各実施例のズームレンズは、物体側より像側へ順に配置された、正の屈折力の第１レンズ群、負の屈折力の第２レンズ群、１つ以上のレンズ群を含む後群より構成され、ズーミングに際して、隣り合うレンズ群の間隔が変化する。
【００２５】
第１レンズ群は１枚以上の正レンズを有し、第１レンズ群に含まれる少なくとも１つの正レンズＧ１ｐの材料は、材料の屈折率をｎｄ、材料のアッベ数をνｄ、材料の部分分散比をθｇＦとする。このとき、
θｇＦ−（−１．６６５×１０−７×νｄ３＋５．２１３×１０−５×νｄ２−５．６５６×１０−３×νｄ＋０．７３７）＞０          ・・・（１）
５０．００＜νｄ＜６７．００            ・・・（２）
１．５５０≦ｎｄ≦１．７５０            ・・・（３）
なる条件式を満足する。
【００２６】
＜実施例１＞
図１は実施例１の広角端におけるレンズ断面図である。図２（Ａ）、（Ｂ）、（Ｃ）、（Ｄ）は実施例１の広角端、第１レンズ群が最も像側に位置するズーム位置、中間のズーム位置、望遠端における収差図である。
【００２７】
実施例１は変倍比（ズーム比）１２６．５２倍、開口比（Ｆナンバー）３．３０〜８．００程度のズームレンズである。広角端から望遠端へのズーミングに際して、第１レンズ群Ｌ１が像側に凸状の軌跡で移動し、第２レンズ群Ｌ２が像側に移動し、開口絞りＳＰは物体側に移動し、第３レンズ群Ｌ３は物体側に移動し、第４レンズ群Ｌ４は物体側に移動する。第５レンズ群Ｌ５は物体側に凸状の軌跡で移動している。
【００２８】
＜実施例２＞
図３は実施例２の広角端におけるレンズ断面図である。図４（Ａ）、（Ｂ）、（Ｃ）、（Ｄ）は実施例２の広角端、第１レンズ群が最も像側に位置するズーム位置、中間のズーム位置、望遠端における収差図である。
【００２９】
実施例２は変倍比８４．９５倍、開口比３．３０〜８．００程度のズームレンズである。広角端から望遠端へのズーミングに際して、第１レンズ群Ｌ１が像側に凸状の軌跡で移動し、第２レンズ群Ｌ２が像側に移動し、開口絞りＳＰは物体側に移動し、第３レンズ群Ｌ３は物体側に移動し、第４レンズ群Ｌ４は物体側に移動する。第５レンズ群Ｌ５は物体側に凸状の軌跡で移動している。
【００３０】
＜実施例３＞
図５は実施例３の広角端におけるレンズ断面図である。図６（Ａ）、（Ｂ）、（Ｃ）、（Ｄ）は実施例３の広角端、第１レンズ群が最も像側に位置するズーム位置、中間のズーム位置、望遠端における収差図である。
【００３１】
実施例３は変倍比８５．７６倍、開口比３．３０〜８．００程度のズームレンズである。広角端から望遠端へのズーミングに際して、第１レンズ群Ｌ１が像側に凸状の軌跡で移動、第２レンズ群Ｌ２が像側に移動し、開口絞りＳＰは物体側に移動し、第３レンズ群Ｌ３は物体側に移動し、第４レンズ群Ｌ４は物体側に凸状の軌跡で移動する。第５レンズ群Ｌ５はズーミングに際して不動である。
【００３２】
＜実施例４＞
図７は実施例４の広角端におけるレンズ断面図である。図８（Ａ）、（Ｂ）、（Ｃ）、（Ｄ）は実施例４の広角端、第１レンズ群が最も像側に位置するズーム位置、中間のズーム位置、望遠端における収差図である。
【００３３】
実施例４は変倍比４３．０８倍、開口比３．４９〜６．９６程度のズームレンズである。広角端から望遠端へのズーミングに際して、第１レンズ群Ｌ１が像側に凸状の軌跡で移動し、第２レンズ群Ｌ２が像側に移動し、開口絞りＳＰは物体側に移動し、第３レンズ群Ｌ３は物体側に移動し、第４レンズ群Ｌ４は物体側に移動する。第５レンズ群Ｌ５は物体側に凸状の軌跡で移動している。
【００３４】
＜実施例５＞
図９は実施例５の広角端におけるレンズ断面図である。図１０（Ａ）、（Ｂ）、（Ｃ）、（Ｄ）は実施例５の広角端、第１レンズ群が最も像側に位置するズーム位置、中間のズーム位置、望遠端における収差図である。
【００３５】
実施例５は変倍比４３．３４倍、開口比３．５１〜６．９６程度のズームレンズである。広角端から望遠端へのズーミングに際して、第１レンズ群Ｌ１が像側に凸状の軌跡で移動し、第２レンズ群Ｌ２が像側に移動し、開口絞りＳＰは物体側に移動し、第３レンズ群Ｌ３は物体側に移動し、第４レンズ群Ｌ４は物体側に移動する。第５レンズ群Ｌ５は物体側に凸状の軌跡で移動している。
【００３６】
＜実施例６＞
図１１は実施例６の広角端におけるレンズ断面図である。図１２（Ａ）、（Ｂ）、（Ｃ）、（Ｄ）は実施例６の広角端、第１レンズ群が最も像側に位置するズーム位置、中間のズーム位置、望遠端における収差図である。
【００３７】
実施例６は変倍比２３．７６倍、開口比３．２８〜６．８０程度のズームレンズである。広角端から望遠端へのズーミングに際して、第１レンズ群Ｌ１が像側に凸状の軌跡で移動し、第２レンズ群Ｌ２が像側に移動し、開口絞りＳＰは物体側に移動し、第３レンズ群Ｌ３は物体側に移動し、第４レンズ群Ｌ４は物体側に移動する。第５レンズ群Ｌ５はズーミングに際して不動である。
【００３８】
＜実施例７＞
図１３は実施例７の広角端におけるレンズ断面図である。図１４（Ａ）、（Ｂ）、（Ｃ）、（Ｄ）は実施例７の無限遠合焦時の広角端、中間のズーム位置、望遠端、物体距離０．８ｍでの合焦時の望遠端における収差図である。
【００３９】
実施例７は変倍比１６．２５倍、開口比１．８１〜２．４３程度のズームレンズである。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に凸状の軌跡で移動し、第４レンズ群Ｌ４は物体側に凸状の軌跡で移動する。
【００４０】
＜実施例８＞
図１５は実施例８の広角端におけるレンズ断面図である。図１６（Ａ）、（Ｂ）、（Ｃ）、（Ｄ）は実施例８の無限遠合焦時の広角端、中間のズーム位置、望遠端、物体距離１３．０ｍでの合焦時の望遠端における収差図である。
【００４１】
実施例８は変倍比１２５．４６倍、開口比１．７６〜５．４０程度のズームレンズである。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に移動し、第４レンズ群Ｌ４は物体側に移動する。
【００４２】
＜実施例９＞
図１７は実施例９の広角端におけるレンズ断面図である。図１８（Ａ）、（Ｂ）、（Ｃ）、（Ｄ）は実施例９の無限遠合焦時の広角端、中間のズーム位置、望遠端、物体距離０．８ｍでの合焦時の望遠端における収差図である。
【００４３】
実施例９は変倍比３０．００倍、開口比１．４９〜２．２０程度のズームレンズである。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に凸状の軌跡で移動し、第４レンズ群Ｌ４は物体側に凸状の軌跡で移動する。
【００４４】
＜実施例１０＞
図１９は実施例１０の広角端におけるレンズ断面図である。図２０（Ａ）、（Ｂ）、（Ｃ）、（Ｄ）は実施例１０の無限遠合焦時の広角端、中間のズーム位置、望遠端、物体距離３．０ｍでの合焦時の望遠端における収差図である。
【００４５】
実施例１０は変倍比８．００倍、開口比２．８０〜３．６２程度のズームレンズである。ズーミングに際して第１レンズ群Ｌ１と第４レンズ群Ｌ４と開口絞りＳＰは不動である。広角端から望遠端へのズーミングに際して、第２レンズ群Ｌ２が像側に移動し、第３レンズ群Ｌ３は物体側に凸状の軌跡で移動する。
【００４６】
＜実施例１１＞
図２１は実施例１１の広角端におけるレンズ断面図である。図２２（Ａ）、（Ｂ）、（Ｃ）、（Ｄ）は実施例１１の無限遠合焦時の広角端、中間のズーム位置、望遠端、物体距離０．９５ｍでの合焦時の望遠端における収差図である。
【００４７】
実施例１１は変倍比８．２２倍、開口比１．８５〜２．８８程度のズームレンズである。ズーミングに際して第１レンズ群Ｌ１と開口絞りＳＰは不動である。広角端から望遠端へのズーミングに際して、第２レンズ群Ｌ２が像側に移動し、第３レンズ群Ｌ３は物体側に凸状の軌跡で移動し、第４レンズ群Ｌ４は物体側に凸状の軌跡で移動する。
【００４８】
＜実施例１２＞
図２３は実施例１２の広角端におけるレンズ断面図である。図２４（Ａ）、（Ｂ）、（Ｃ）、（Ｄ）は実施例１２の無限遠合焦時の広角端、中間のズーム位置、望遠端、物体距離１．４５ｍでの合焦時の望遠端における収差図である。
【００４９】
実施例１２は変倍比４４．０２倍、開口比１．６５〜４．９０程度のズームレンズである。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に凸状の軌跡で移動し、第４レンズ群Ｌ４は像体側に凸状の軌跡で移動する。
【００５０】
実施例１乃至６のズームレンズはズーミングに際して第１レンズ群Ｌ１が移動する。実施例７乃至１２のズームレンズはズーミングに際して第１レンズ群Ｌ１は不動である。
【００５１】
レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。
【００５２】
Ｇはプリズムや光学フィルター等の光学ブロックである。
【００５３】
ＳＰは開口絞りである。ＩＰは像面である。像面ＩＰは、デジタルカメラやビデオカメラ、監視カメラの撮像光学系としてズームレンズを使用する際には、ＣＣＤセンサやＣＭＯＳセンサなどの撮像素子（光電変換素子）の撮像面に相当する。
【００５４】
実施例１乃至７、１１及び１２の球面収差図において、実線のｄはｄ線（波長５８７．６ｎｍ）、二点鎖線のｇはｇ線（波長４３５．８ｎｍ）、を表している。また非点収差を示す図において、実線のＳはｄ線のサジタル方向、破線のＭはｄ線のメリディオナル方向を表している。また歪曲を示す収差図は、ｄ線における歪曲を表している。倍率色収差はｄ線に対するｇ線について示している。
【００５５】
実施例８乃至１０の球面収差図において、実線のｅはｅ線（波長５４６．７ｎｍ）、二点鎖線のｇはｇ線（波長４３５．８ｎｍ）、一点鎖線のＣはＣ線（波長６５６．３ｎｍ）を表している。また非点収差を示す図において、実線のＳはｅ線のサジタル方向、破線のＭはｅ線のメリディオナル方向を表している。また歪曲を示す収差図は、ｅ線における歪曲を表している。倍率色収差はｅ線に対するｇ線について示している。
【００５６】
実施例１〜１２の収差図において、ＦｎｏはＦナンバー、ωは撮影画角の半画角（度）である。
【００５７】
本実施例のズームレンズは、ビデオカメラやデジタルスチルカメラ、テレビカメラ、シネマカメラ及び監視カメラ等の撮像装置の撮像光学系として用いられるものである。
【００５８】
各実施例のポジティブリード型のズームレンズでは、第１レンズ群Ｌ１にて発生した収差が、第１レンズ群Ｌ１以降、像面まで続くレンズ群の横倍率分だけ収差が拡大される。このため、第１レンズ群Ｌ１にて発生する光学収差を極力抑える必要がある。
【００５９】
高ズーム比化により発生する軸上色収差を抑えるためには、図２６に示すθｇＦ−νｄ図において、第１レンズ群Ｌ１内の負レンズと正レンズの材料を結んだ直線の傾きが緩やかなほど、軸上色収差の二次スペクトルを補正することができる。
【００６０】
条件式（１）は第１レンズ群Ｌ１内の正レンズＧ１ｐの材料の部分分散比θｇＦを規定している。図２６において点線が条件式（１）の曲線を示している。条件式（１）の下限値を超えて小さくなると、望遠端において軸上色収差の二次スペクトルが増加するため好ましくない。
【００６１】
条件式（２）は第１レンズ群Ｌ１内の正レンズＧ１ｐの材料のアッベ数νｄを規定している。条件式（２）の上限値を超えてアッベ数νｄが大きくなると、第１レンズ群Ｌ１内の負レンズの材料とのアッベ数差が大きくなり、広角側において倍率色収差及び望遠側において軸上色収差を良好に補正することが困難となる。
【００６２】
また、第１レンズ群Ｌ１内に接合レンズを有する場合、色消しを行うための接合レンズ面の屈折力が少なくて済むため、接合レンズ面を緩くすることができ、全系の小型化には有利となる。またアッベ数νｄが大きい材料は一般的に屈折率が低くなり、低屈折率によりレンズが厚くなり大型化するため好ましくない。
【００６３】
また、条件式（２）の下限値を超えてアッベ数νｄが小さくなると、広角側において倍率色収差及び望遠側において軸上色収差を良好に補正することが困難となる。また、第１レンズ群Ｌ１内に接合レンズを有する場合、接合レンズ面の曲率がきつくなり、レンズ厚が増し大型化するため好ましくない。
【００６４】
条件式（３）は第１レンズ群Ｌ１内の正レンズＧ１ｐの材料の屈折率ｎｄを規定している。条件式（３）の上限値を超えて屈折率が大きくなると、全系の小型化が容易となるが、条件式（１）、（２）を満たすような材料は製造が困難となる。また、条件式（３）の下限値を超えて屈折率が低くなると、レンズが厚くなり全系が大型化するため好ましくない。
【００６５】
なお、各実施例において、好ましくは、条件式（１）乃至（３）の数値範囲を次の如くするのが良い。
【００６６】
θｇＦ−（−１．６６５×１０−７・νｄ３＋５．２１３×１０−５・νｄ２−５．６５６×１０−３・νｄ＋０．７３７）＞０          ・・・（１ａ）
５２．００＜νｄ＜６７．００                       ・・・（２ａ）
１．５５０≦ｎｄ≦１．７００                       ・・・（３ａ）
また、さらに好ましくは条件式（１ａ）乃至（３ａ）の数値範囲を次の如く設定するのが良い。
【００６７】
θｇＦ−（−１．６６５×１０−７・νｄ３＋５．２１３×１０−５・νｄ２−５．６５６×１０−３・νｄ＋０．７３７）＞０          ・・・（１ｂ）
５４．００＜νｄ＜６７．００                       ・・・（２ｂ）
１．５５０≦ｎｄ≦１．６５０                       ・・・（３ｂ）
各実施例では以上の如く構成することにより、広画角、高ズーム比の高い光学性能を有するズームレンズを得ている。
【００６８】
実施例１、２、４、５のズームレンズは、物体側より像側へ順に配置された、次のレンズ群より構成されている。
【００６９】
正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５の５つのレンズ群から構成されている。
【００７０】
広角端から望遠端へのズーミングに際して、第１レンズ群Ｌ１は像側に凸状の軌跡で物体側に移動し、第２レンズ群Ｌ２が像側に移動し、第３レンズ群Ｌ３は物体側に移動し、第４レンズ群Ｌ４は物体側に移動する。第５レンズ群Ｌ５は物体側に凸状の軌跡で移動している。
【００７１】
実施例１、２、４、５のズームレンズは、第１レンズ群Ｌ１、第２レンズ群Ｌ２、第３レンズ群Ｌ３の移動により主な変倍を行っている。
【００７２】
第１レンズ群Ｌ１は広角端から望遠端へのズーミングに際し、物体側に位置するように移動させることで、広角端におけるレンズ全長を短縮しつつ、大きな変倍比が得られるようにしている。ポジティブリード型のズームレンズにおいて第１レンズ群Ｌ１の最も物体側のレンズ面の有効径は、広角側の軸外光線で決まりやすく、広画角化するほど前玉有効径が大きく小型化が困難となる。
【００７３】
そのため、広角端にてレンズ全長を短くし、第１レンズ群Ｌ１と開口絞りＳＰの位置を近づけ、ズーミングに際し、第１レンズ群Ｌ１を物体側に移動することで望遠端のズーム倍率を稼ぐ構成として、第１レンズ群Ｌ１の有効径を小さくしている。
【００７４】
また、望遠端において球面収差やコマ収差は、通過光線幅の広い第１レンズ群Ｌ１が大きく影響しているが、第１レンズ群Ｌ１の正の屈折力を弱める、あるいは正レンズの枚数を増やすことで補正しやすくしている。
【００７５】
どちらの方法も有効径が大きくなる方向であるため、広角側にてレンズ全長を短くし、第１レンズ群Ｌ１のレンズ径を決める軸外光線の入射高さを低くする配置にして、第１レンズ群Ｌ１の有効径を最小限に抑えている。
【００７６】
また、電子収差補正を行うことを前提として、広角端において歪曲収差をある程度許容した構成とすれば、第１レンズ群Ｌ１の有効径を小さくすることが容易となるため、全系の小型化を図ることができる。
【００７７】
また、広角端から望遠端へのズーミングに際し、第１レンズ群Ｌ１は像側へ凸状の軌跡で物体側に移動するようにすることで、広角端と、望遠端におけるレンズ全長を短縮しつつも、ズーミングにおける像面特性を良好に補正している。また、ズーミングに際し、広角端に比べ望遠端において第２レンズ群Ｌ２が像側に位置するように移動させることにより、第２レンズ群Ｌ２に大きな変倍効果を持たせている。また、ズーミングに際し、広角端に比べ望遠端において第３レンズ群Ｌ３が物体側に位置するように移動させることにより、第３レンズ群Ｌ３に大きな変倍効果を持たせている。
【００７８】
また、ズーミングに際し、開口絞りＳＰを他のレンズ群とは別体に（独立に）移動することで、全系の小型化を図っている。
【００７９】
ポジティブリード型のズームレンズにおいて第１レンズ群Ｌ１の最も物体側のレンズ面の有効径は、広角側の軸外光線で決まることが多く、広画角化するほど前玉有効径が大きくなる。しかしながら開口絞りＳＰの位置を第１レンズ群Ｌ１に近づけるほど、第１レンズ群Ｌ１の有効径を小さくすることが容易となる。
【００８０】
また、開口絞りＳＰをズーミングに際して他のレンズ群と別体に移動することにより、望遠端にて第２レンズ群Ｌ２と第３レンズ群Ｌ３の間隔を接近させることができる。このため、望遠端のレンズ全長を大きく伸ばすことなく、所定の焦点距離を確保することも容易となる。
【００８１】
このように、開口絞りＳＰを別体に移動させることにより、広角端にて第１レンズ群Ｌ１の有効径を小さくしつつ、望遠端においてレンズ全長を長くすることなく、高倍率化を実現している。
【００８２】
特に高性能化による第１レンズ群Ｌ１のレンズ径の増大において、全系の小型化を図るためには、高屈折率材料である異常分散ガラスの使用し、第１レンズ群Ｌ１の移動、広角端におけるレンズ全長、あるいは開口絞りＳＰの別移動が重要となる。
【００８３】
また、ズーミングに際し、広角端に比べ望遠端において第４レンズ群Ｌ４が物体側に位置するように移動させることにより、フォーカスレンズ群である第５レンズ群Ｌ５のフォーカススペースを十分確保している。第５レンズ群Ｌ５は光軸上を移動させてフォーカシングを行うリヤフォーカス式を採用している。
【００８４】
そして、第５レンズ群を移動させて変倍に伴う像面変動を補正すると共に、フォーカシングを行っている。
【００８５】
ズーミングにおける第５レンズ群Ｌ５の移動軌跡を物体側に凸状とすることで、第４レンズ群Ｌ４と第５レンズ群Ｌ５の空間の有効利用を図り、レンズ全長の短縮化を効果的に達成している。
【００８６】
第５レンズ群Ｌ５に関する実線の曲線５ａと点線の曲線５ｂは、各々無限遠（無限遠物体）と近距離（近距離物体）にフォーカスしているときの変倍に伴う像面変動を補正するための移動軌跡である。また望遠端において、無限遠から近距離へフォーカスを行う場合には、矢印５Ｃに示す如く第５レンズ群Ｌ５を前方（物体側）に繰出すことで行っている。
【００８７】
実施例３のズームレンズは、物体側より像側へ順に配置された次のレンズ群より構成されている。
【００８８】
正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５の５つのレンズ群から構成されている。また、開口絞りＳＰは、第２レンズ群Ｌ２と第３レンズ群Ｌ３との間に配置されている。
【００８９】
広角端から望遠端へのズーミングに際して、第１レンズ群Ｌ１は物体側に凸状の軌跡で移動し、第２レンズ群Ｌ２が物体側に移動し、第３レンズ群Ｌ３は物体側に移動し、第４レンズ群Ｌ４は物体側に移動し、第５レンズ群Ｌ５は不動である。
【００９０】
実施例３のズームレンズは、第１レンズ群Ｌ１、第２レンズ群Ｌ２、第３レンズ群Ｌ３の移動により主な変倍を行っている。
【００９１】
第１レンズ群Ｌ１は広角端から望遠端へのズーミングに際し、物体側に位置するように移動させることで、広角端におけるレンズ全長を短縮しつつ、大きな変倍比が得られるようにしている。
【００９２】
また、望遠端において球面収差やコマ収差は、通過光線幅の広い第１レンズ群Ｌ１が大きく影響しているが、第１レンズ群Ｌ１の正の屈折力を弱める、あるいは正レンズの枚数を増やすことで補正しやすくしている。どちらの方法も有効径が大きくなる方向であるため、広角側にてレンズ全長を短くし、第１レンズ群Ｌ１のレンズ径を決める軸外光線の入射高さを低くする配置にして、第１レンズ群Ｌ１の有効径を最小限に抑えている。
【００９３】
また、電子収差補正を行うことを前提として、広角端において歪曲収差をある程度許容した構成とすれば、第１レンズ群Ｌ１の有効径を小さくすることが容易となるため、全系の小型化を図ることができる。
【００９４】
また、広角端から望遠端へのズーミングに際し、第１レンズ群Ｌ１は像側へ凸状の軌跡で物体側に移動することで、広角端と、望遠端におけるレンズ全長を短縮しつつも、ズーミングにおける像面特性を良好に補正している。また、ズーミングに際し、広角端に比べ望遠端において第２レンズ群Ｌ２が像側に位置するように移動させることにより、第２レンズ群Ｌ２に大きな変倍効果を持たせている。また、ズーミングに際し、広角端に比べ望遠端において第３レンズ群Ｌ３が物体側に位置するように移動させることにより、第３レンズ群Ｌ３に大きな変倍効果を持たせている。
【００９５】
ポジティブリード型のズームレンズにおいて第１レンズ群Ｌ１の最も物体側のレンズ面の有効径は、広角側の軸外光線で決まりやすく、広画角化するほど前玉有効径が大きくなる。しかしながら、開口絞りＳＰの位置を第１レンズ群Ｌ１に近づけるほど、第１レンズ群Ｌ１の有効径を小さくすることが容易になる。
【００９６】
また、開口絞りＳＰをズーミングに際して別体に移動することにより、望遠端にて第２レンズ群Ｌ２と第３レンズ群Ｌ３のレンズ群間隔を接近させることができるため、望遠端のレンズ全長を大きく伸ばすことなく、所定の焦点距離を確保することも容易となる。
【００９７】
このように、開口絞りＳＰを別体に移動させることにより、広角端にて第１レンズ群Ｌ１の有効径を小さくしつつ、望遠端においてレンズ全長を長くすることなく、高倍率化を実現している。
【００９８】
特に高性能化による第１レンズ群Ｌ１のレンズ径の増大において、全系の小型化を図るためには、高屈折率材料である異常分散ガラスの使用し、第１レンズ群Ｌ１の移動、広角端におけるレンズ全長、あるいは開口絞りＳＰの別移動が重要となる。
【００９９】
無限遠から近距離へのフォーカシングに際して、第４レンズ群Ｌ４を矢印４Ｃに示すように物体側に移動させている。第４レンズ群Ｌ４に関する実線の曲線４ａと点線の曲線４ｂ、は、各々無限遠と近距離にフォーカスしているときの変倍に伴う像面変動を補正するための移動軌跡である。
【０１００】
第５レンズ群Ｌ５はズーミング時不動としている。最終レンズ群を不動の正の屈折力のレンズ群とすることで、正の屈折力の第４レンズ群Ｌ４と第５レンズ群Ｌ５とで屈折力を分割し、軸外収差を良好に補正している。
【０１０１】
実施例６のズームレンズは、物体側より像側へ順に配置された、次のレンズ群より構成されている。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５の５つのレンズ群から構成されている。
【０１０２】
広角端から望遠端へのズーミングに際して、第１レンズ群Ｌ１は像側に凸状の軌跡で物体側に移動し、第２レンズ群が像側に移動し、第３レンズ群は物体側に移動し、第４レンズ群は物体側に移動し、第５レンズ群はズーミングに際して不動としている。
【０１０３】
実施例６のズームレンズは、第１レンズ群Ｌ１、第２レンズ群Ｌ２、第３レンズ群Ｌ３の移動により主な変倍を行っている。
【０１０４】
第１レンズ群Ｌ１は広角端から望遠端へのズーミングに際し、物体側に位置するように移動させることで、広角端におけるレンズ全長を短縮しつつ、大きな変倍比が得られるようにしている。
【０１０５】
ポジティブリード型のズームレンズの第１レンズ群Ｌ１の最も物体側のレンズ面の有効径は、広角側の軸外光線で決まりやすく、広画角化するほど前玉有効径が大きく小型化が困難となる。
【０１０６】
そのため、広角端にてレンズ全長を短くし、第１レンズ群Ｌ１と開口絞りＳＰの位置を近づけ、ズーミングに際し、第１レンズ群Ｌ１を物体側に移動することで望遠端のズーム倍率を稼ぐ構成として、第１レンズ群Ｌ１の有効径を小さくしている。また、望遠端において球面収差やコマ収差は、通過光線幅の広い第１レンズ群Ｌ１が大きく影響しているが、第１レンズ群Ｌ１の正の屈折力を弱める、あるいは正レンズの枚数を増やすことで補正しやすくしている。
【０１０７】
どちらの方法も有効径が大きくなる方向であるため、広角側にてレンズ全長を短くし、第１レンズ群Ｌ１のレンズ径を決める軸外光線の入射高さを低くする配置にして、第１レンズ群Ｌ１の有効径を最小限に抑えている。また、電子収差補正を行うことを前提として、広角端において歪曲収差をある程度許容した構成すれば、第１レンズ群Ｌ１の有効径を小さくすることが容易となるため、全系の小型化を図ることができる。
【０１０８】
また、広角端から望遠端へのズーミングに際し、第１レンズ群Ｌ１は像側へ凸状の軌跡で物体側に移動するようにすることで、広角端と望遠端におけるレンズ全長を短縮しつつも、ズーミングにおける像面特性を良好に補正している。また、ズーミングに際し、広角端に比べ望遠端において第２レンズ群Ｌ２が像側に位置するように移動させることにより、第２レンズ群Ｌ２に大きな変倍効果を持たせている。
【０１０９】
また、ズーミングに際し、広角端に比べ望遠端において第３レンズ群Ｌ３が物体側に位置するように移動させることにより、第３レンズ群Ｌ３に大きな変倍効果を持たせている。また、ズーミングに際し、開口絞りＳＰを他のレンズ群とは別体移動にすることで、全系の小型化を図っている。
【０１１０】
ポジティブリード型のズームレンズの第１レンズ群Ｌ１の最も物体側のレンズ面の有効径は、広角側の軸外光線で決まることが多く、広画角化するほど前玉有効径が大きくなる。しかしながら、開口絞りＳＰの位置を第１レンズ群Ｌ１に近づけるほど、第１レンズ群Ｌ１の有効径を小さくすることが容易になる。また、開口絞りＳＰをズーミングに際して別体に移動することにより、望遠端にて第２レンズ群Ｌ２と第３レンズ群Ｌ３のレンズ群間隔を接近させることができるため、望遠端のレンズ全長を大きく伸ばすことなく、所定の焦点距離を確保することも容易となる。
【０１１１】
このように、開口絞りＳＰを別体に移動させることにより、広角端にて第１レンズ群Ｌ１の有効径を小さくしつつ、望遠端にてレンズ全長を長くすることなく、高倍率化を実現している。
【０１１２】
特に高性能化による第１レンズ群Ｌ１のレンズ径の増大において、全系の小型化を図るためには、高屈折率材料である異常分散ガラスの使用し、第１レンズ群Ｌ１の移動、広角端におけるレンズ全長、あるいは開口絞りＳＰの別移動が重要となる。また、ズーミングに際し、広角端に比べ望遠端において第４レンズ群Ｌ４が物体側に位置するように移動させることにより、不動のレンズ群である第５レンズ群Ｌ５のとの間のフォーカススペースを十分確保している。
【０１１３】
第４レンズ群Ｌ４は光軸上を移動させてフォーカシングを行うインナーフォーカス式を採用している。インナーフォーカスタイプとすることで、フォーカシングによる移動量を削減し、小型化を実現している。第４レンズ群Ｌ４に関する実線の曲線４ａと点線の曲線４ｂは、各々無限遠と近距離にフォーカスしているときの変倍に伴う像面変動を補正するための移動軌跡である。また望遠端において、無限遠から近距離へフォーカスを行う場合には、矢印４Ｃに示す如く第４レンズ群Ｌ４を後方（像側）に繰込むことで行っている。
【０１１４】
第５レンズ群Ｌ５を不動の正の屈折力のレンズ群とすることで、負の屈折力の第４レンズ群Ｌ４からの光線角度を緩くし、センサへの光束の入射角を緩和している。
【０１１５】
実施例１乃至６において開口絞りＳＰは、第２レンズ群Ｌ２と第３レンズ群Ｌ３との間に配置されている。
【０１１６】
実施例１乃至６のズームレンズにおいて、更に好ましくは次の条件式のうち１つ以上を満足するのが良い。
【０１１７】
広角端における全系の焦点距離をｆＷ、第１レンズ群Ｌ１の焦点距離をｆ１とする。ズーミングに際して、第１レンズ群Ｌ１は広角端に比べて望遠端において物体側に位置するように移動し、広角端から望遠端における第１レンズ群Ｌ１の移動量をＭ１とする。
【０１１８】
ここでレンズ群の移動量とは、広角端と望遠端におけるレンズ群の光軸上の位置の差であり、移動量の符号は広角端に比べて望遠端において物体側に位置するときを負、像側に位置するときを正とする。正レンズＧ１ｐの焦点距離をｆｐとする。正レンズＧ１ｐの材料の−３０℃以上＋７０℃以下における平均線膨張係数（１０−５／Ｋ）をαとする。
【０１１９】
広角端から望遠端へズーミングに際して、第１レンズ群Ｌ１は像側に凸状の軌跡で移動する。広角端から望遠端へズーミングにおける、第１レンズ群Ｌ１の広角端における位置から最も像側に位置するときの移動量をＭ１ｂとする。望遠端における全系の焦点距離をｆＴとする。第２レンズ群Ｌ２の焦点距離をｆ２とする。第２レンズ群Ｌ２の像側に第２レンズ群Ｌ２に隣接して開口絞りＳＰを有し、開口絞りＳＰの像側に隣接して第３レンズ群Ｌ３を有し、第３レンズ群Ｌ３の焦点距離をｆ３とする。
【０１２０】
開口絞りＳＰはズーミングに際して他のレンズ群とは異なった軌跡で移動し、広角端における開口絞りＳＰと第３レンズ群Ｌ３の間隔をＤＷ、望遠端における開口絞りＳＰと第３レンズ群Ｌ３の間隔をＤＴとする。広角端から望遠端へのズーミングにおける開口絞りＳＰの移動量をＭＳ、広角端から望遠端へのズーミングにおける第３レンズ群Ｌ３の移動量をＭ３とする。正レンズＧ１ｐの物体側と像側のレンズ面の曲率半径を各々Ｒ１ｐ、Ｒ２ｐとする。
【０１２１】
このとき次の条件式のうち１つ以上を満足するのが良い。
【０１２２】
０．５４４３＜θｇＦ＜０．６０００        ・・・（４）
４．００＜ｆ１／ｆＷ＜６０．００          ・・・（５）
０．１０＜｜Ｍ１｜／ｆＷ＜４０．００      ・・・（６）
０．４０＜ｆｐ／ｆ１＜６．００            ・・・（７）
０．５０＜α＜５．００                    ・・・（８）
０．０１＜｜Ｍ１ｂ／Ｍ１｜＜２．００      ・・・（９）
０．１０＜ｆＴ／ｆ１＜４．００            ・・・（１０）
３．００＜ｆ１／｜ｆ２｜＜２０．００      ・・・（１１）
３．５０＜ｆ１／ｆ３＜１３．００          ・・・（１２）
１．００＜ＤＷ／ＤＴ＜７００．００        ・・・（１３）
０．３０＜ＭＳ／Ｍ３＜１．３０            ・・・（１４）
−２．００＜（Ｒ１ｐ−Ｒ２ｐ）／（Ｒ１ｐ＋Ｒ２ｐ）＜−０．１０
・・・（１５）
１．００＜ｆＴ／｜ｆ２｜＜６０．００      ・・・（１６）
条件式（４）は正レンズＧ１ｐの部分分散比を規定している。条件式（４）の上限値を超えて正レンズＧ１ｐの材料の部分分散比が大きくなると、望遠端において二次スペクトルの低減には良好な方向であるが条件式を満足する材料を製造することが困難となる。条件式（４）の下限値を超えて正レンズＧ１ｐの材料の部分分散比が小さくなると、望遠端において二次スペクトルが大きくなるため好ましくない。
【０１２３】
条件式（５）は広角端における全系の焦点距離と第１レンズ群Ｌ１の焦点距離の比を規定している。条件式（５）の上限値を超えて第１レンズ群Ｌ１の焦点距離の比が大きくなると、第１レンズ群Ｌ１のズーミングにおける移動量が大きくなり、望遠端におけるレンズ全長が長くなるため好ましくない。あるいは、広角端における全系の焦点距離が短くなりすぎ、第１レンズ群Ｌ１の有効径が大型化するため好ましくない。
【０１２４】
条件式（５）の下限値を超えて第１レンズ群Ｌ１の焦点距離が短くなると、球面収差やコマ収差が増大し、これらの諸収差の補正のためにレンズ枚数が多くなり、結果として全系が大型化するため好ましくない。あるいは、広角端における全系の焦点距離が長くなり、レンズの径方向の大きさには有利となるが広画角化が困難となり、好ましくない。
【０１２５】
条件式（６）は広角端における全系の焦点距離とズーミングに際しての第１レンズ群Ｌ１の移動量の比を規定している。条件式（６）の上限値を超えて、第１レンズ群Ｌ１の移動量が長くなると、望遠端におけるレンズ全長が長くなるため、全系が好ましくない。あるいは、広角端における全系の焦点距離が短くなりすぎると、第１レンズ群Ｌ１の有効径が大きくなり、全系が大型化するため好ましくない。
【０１２６】
条件式（６）の下限値を超えて、第１レンズ群Ｌ１の移動量が小さくなると、第１レンズ群Ｌ１の焦点距離が短くなり、球面収差やコマ収差が増大し、これらの諸収差の補正が困難となる。あるいは広角端における全系の焦点距離が長くなり、所定のズーム倍率を確保することが困難となるため好ましくない。
【０１２７】
条件式（７）は第１レンズ群Ｌ１の異常分散材を使用した正レンズＧ１ｐの焦点距離と第１レンズ群Ｌ１の焦点距離の比を規定している。条件式（７）の上限値を超えて正レンズＧ１ｐの焦点距離が長くなると、第１レンズ群Ｌ１を複数枚の正レンズで構成している場合、第１レンズ群Ｌ１を構成する他の正レンズの焦点距離が短くなり望遠端において球面収差やコマ収差が増加するため好ましくない。また、１枚の正レンズで構成している場合にはレンズ全長が長くなるため好ましくない。
【０１２８】
条件式（７）の下限値を超えて正レンズＧ１ｐの焦点距離が短くなると、望遠端において球面収差やコマ収差が増加するため好ましくない。
【０１２９】
条件式（８）は第１レンズ群Ｌ１の異常分散材の線膨張係数を規定している。線膨張係数αは−３０℃以上＋７０℃以下における平均線膨張係数（１０−５／Ｋ）を表す。条件式（８）の上限値を超えて線膨張係数が大きくなると温度変化によるレンズ形状の変化が大きくなり、望遠端において球面収差、コマ収差の変化が大きく、光学性能が劣化してくる。
【０１３０】
条件式（８）の下限値を超えて線膨張係数が小さくなると温度変化によるレンズの形状変化が小さく良いが、条件式を満足する材料を製造することが困難となる。
【０１３１】
条件式（９）はズーミングにおける第１レンズ群Ｌ１の像側へ凸状の移動軌跡を規定している。ここで移動量Ｍ１ｂはズーミングに際して第１レンズ群Ｌ１の広角端から最も像側へ移動したズーム位置までの移動量を規定している。
【０１３２】
条件式（９）の上限値を超えて像側への凸状の移動量が増すと、広角端から望遠端においてレンズ全長が短くなる方向であるが、第１レンズ群Ｌ１と第２レンズ群Ｌ２が干渉しやすく、メカ構造上の構成が困難となる。条件式（９）の下限値を超えて像側への凸状の移動量が少なくなると、望遠端でのレンズ全長が増大し、それに伴い第１レンズ群Ｌ１の前玉有効径が大きく厚くなり、全系が大型化するため好ましくない。
【０１３３】
条件式（１０）は望遠端における全系の焦点距離と第１レンズ群Ｌ１の焦点距離の比を規定している。条件式（１０）の上限値を超えて、望遠端における全系の焦点距離が長くなると、球面収差、コマ収差が増大するため、好ましくない。あるいは第１レンズ群Ｌ１の焦点距離が短くなり、球面収差、コマ収差の補正が困難となるため、好ましくない。
【０１３４】
条件式（１０）の下限値を超えて、望遠端における焦点距離が短くなると、高い変倍倍率が得られなくなり好ましくない。あるいは第１レンズ群Ｌ１の焦点距離が長くなることで、第１レンズ群Ｌ１の移動量が大きくなり、レンズ全長が増大するため好ましくない。
【０１３５】
条件式（１１）は第１レンズ群Ｌ１の焦点距離と第２レンズ群Ｌ２の焦点距離の比を規定している。条件式（１１）の上限値を超えて第１レンズ群Ｌ１の焦点距離が長くなると、第１レンズ群Ｌ１の移動量が大きくなり、全系が大型化するため好ましくない。あるいは第２レンズ群Ｌ２の焦点距離が短くなるため高い変倍比は得られるが、第２レンズ群Ｌ２の焦点距離が短くなりすぎ、像面湾曲が増大するため、好ましくない。
【０１３６】
条件式（１１）の下限値を超えて第１レンズ群Ｌ１の焦点距離が短くなると、球面収差、コマ収差が増大し、これらの諸収差の補正のためにレンズ枚数が増加し、第１レンズ群Ｌ１の有効径が大きくなるため好ましくない。あるいは、第２レンズ群Ｌ２の焦点距離が長くなり、小型でありながら所定のズーム比を得ることが困難となるため、好ましくない。
【０１３７】
条件式（１２）は第１レンズ群Ｌ１の焦点距離と開口絞りＳＰの像側に隣接する第３レンズ群Ｌ３の焦点距離の比を規定している。条件式（１２）の上限値を超えて、第１レンズ群Ｌ１の焦点距離が長くなると、第１レンズ群Ｌ１の移動量が大きくなり、全系が大型化するため好ましくない。あるいは第３レンズ群Ｌ３の焦点距離が短くなるため、高い変倍比は得られるが、第３レンズ群Ｌ３の焦点距離が短くなりすき、球面収差、コマ収差の補正が困難となり、好ましくない。
【０１３８】
条件式（１２）の下限値を超えて、第１レンズ群Ｌ１の焦点距離が短くなると、球面収差、コマ収差が増大し、これらの諸収差の補正のためにレンズ枚数が増加し、第１レンズ群Ｌ１の有効径が大きくなるため好ましくない。また第３レンズ群Ｌ３の焦点距離が長くなり、小型でありながら所定のズーム比を得ることが困難となるため、好ましくない。
【０１３９】
条件式（１３）は広角端と望遠端における開口絞りＳＰよりも像側へ近接する第３レンズ群Ｌ３との間隔を規定している。条件式（１３）の上限値を超えて広角端における第３レンズ群Ｌ３と開口絞りＳＰの間隔が大きくなると、開口絞りＳＰと第１レンズ群Ｌ１が近づく。このため、第１レンズ群Ｌ１の有効径の小型化には容易となるが、第３レンズ群Ｌ３の有効径が大型化するため、好ましくない。条件式（１３）の下限値を超えて、開口絞りＳＰと第３レンズ群Ｌ３の間隔が狭くなると、第１レンズ群Ｌ１の有効径が大型化するため、好ましくない。
【０１４０】
条件式（１４）はズーミングにおける開口絞りＳＰの移動量と第３レンズ群Ｌ３の移動量を規定している。条件式（１４）の上限値を超えて開口絞りＳＰの移動量が大きくなると、開口絞りＳＰと第３レンズ群Ｌ３の間隔が近づく方向であり、第１レンズ群Ｌ１の有効径が大型化するため、好ましくない。条件式（１４）の下限値を超えて開口絞りＳＰの移動量が小さくなると、第１レンズ群Ｌ１は小型化されるが、第３レンズ群Ｌ３の有効径が大型化するため好ましくない。
【０１４１】
条件式（１５）は第１レンズ群Ｌ１内の正レンズＧ１ｐのレンズ形状を規定している。望遠端において第１レンズ群Ｌ１はコマ収差、球面収差を補正しており、主にレンズの形状に起因して補正されている。条件式（１５）の上限値を超えると、レンズ形状は焦点距離の緩い形状となり、第１レンズ群内の他の正レンズの屈折力が強くなり球面収差やコマ収差が増加するため好ましくない。また、正レンズが１枚の場合には屈折力が弱くなる分、大型化するため好ましくない。
【０１４２】
条件式（１５）の下限値を超えると、正レンズＧ１ｐのレンズ形状は両凸形状となり屈折力が強くなり、球面収差やコマ収差が増加するため好ましくない。
【０１４３】
条件式（１６）は望遠端における全系の焦点距離と第２レンズ群Ｌ２の焦点距離の比を規定している。条件式（１６）の下限値を超えて第２レンズ群Ｌ２の焦点距離が長くなると、高いズーム比を得るために第１レンズ群Ｌ１の移動量が大きくなり、大型化するため好ましくない。条件式（１６）の上限値を超えて、第２レンズ群Ｌ２の焦点距離が短くなると、第１レンズ群Ｌ１の移動量は少なくても所定のズーム比が容易に得られるが、像面湾曲の補正が困難となる。
【０１４４】
なお、各実施例において、好ましくは、条件式（４）乃至（１６）の数値範囲を次の如くするのが良い。
【０１４５】
０．５４４４＜θｇＦ＜０．５９５０        ・・・（４ａ）
５．００＜ｆ１／ｆＷ＜５０．００          ・・・（５ａ）
０．２０＜｜Ｍ１｜／ｆＷ＜３９．００      ・・・（６ａ）
０．５０＜ｆｐ／ｆ１  ＜５．０  ０        ・・・（７ａ）
０．８０＜α＜３．００                    ・・・（８ａ）
０．０２＜｜Ｍ１ｂ／Ｍ１｜＜１．８０      ・・・（９ａ）
０．２０＜ｆＴ／ｆ１＜３．００            ・・・（１０ａ）
３．５０＜ｆ１／｜ｆ２｜＜１８．００      ・・・（１１ａ）
３．８０＜ｆ１／ｆ３＜１２．００          ・・・（１２ａ）
１．３０＜ＤＷ／ＤＴ＜６５０．００        ・・・（１３ａ）
０．３５＜ＭＳ／Ｍ３＜１．００            ・・・（１４ａ）
−１．５０＜（Ｒ１ｐ−Ｒ２ｐ）／（Ｒ１ｐ＋Ｒ２ｐ）＜−０．２０
・・・（１５ａ）
１．２０＜ｆＴ／｜ｆ２｜＜  ５５．００    ・・・（１６ａ）
また、さらに好ましくは条件式（４ａ）乃至（１６ａ）の数値範囲を次の如く設定するのが良い。
【０１４６】
０．５４４５＜θｇＦ＜０．５９００        ・・・（４ｂ）
５．８０＜ｆ１／ｆＷ＜４５．００          ・・・（５ｂ）
０．３０＜｜Ｍ１｜／ｆＷ＜３７．００      ・・・（６ｂ）
０．６０＜ｆｐ／ｆ１＜４．８０            ・・・（７ｂ）
０．９０＜α＜１．６０                    ・・・（８ｂ）
０．０２５＜｜Ｍ１ｂ／Ｍ１｜＜１．５００  ・・・（９ｂ）
０．３０＜ｆＴ／ｆ１＜２．９５            ・・・（１０ｂ）
４．１０＜ｆ１／｜ｆ２｜＜１７．５０      ・・・（１１ｂ）
４．１０＜ｆ１／ｆ３＜１０．５０          ・・・（１２ｂ）
１．５０＜ＤＷ／ＤＴ＜６１０．００        ・・・（１３ｂ）
０．４０＜ＭＳ／Ｍ３＜０．９８            ・・・（１４ｂ）
−１．１０＜（Ｒ１ｐ−Ｒ２ｐ）／（Ｒ１ｐ＋Ｒ２ｐ）＜−０．２５
・・・（１５ｂ）
１．３０＜ｆＴ／｜ｆ２｜＜５０．００      ・・・（１６ｂ）
各実施例では以上のように各要素を構成することにより、広角高変倍比であり、高性能である小型ハイスペックなズームレンズを得ることができる。
【０１４７】
実施例７〜１２のズームレンズは、ズーミングに際して隣り合うレンズ群の間隔が変化する複数のレンズ群を有する。当該複数のレンズ群は、物体側から像側へ順に配置された、正の屈折力の第１レンズ群Ｌ１、負の屈折力の第２レンズ群Ｌ２、１つ以上のレンズ群Ｌｒより構成される。そして、第１レンズ群Ｌ１は、ズーミングに際して不動である。
【０１４８】
実施例７〜１２において、広角端から望遠端へのズーミングにおける第２レンズ群の移動量をＭ２とする。このとき以下の条件式のうち、少なくとも１つを満たすことが好ましい。
【０１４９】
０．５４４３＜θｇＦ＜０．６０００        ・・・（４Ｘ）
０．４０＜ｆｐ／ｆ１＜４０．００          ・・・（７Ｘ）
０．５０＜α＜５．００                    ・・・（８Ｘ）
０．２０＜ｆＴ／ｆ１＜６．５０            ・・・（１０Ｘ）
１．００＜ｆ１／｜ｆ２｜＜１２．００      ・・・（１１Ｘ）
１．００＜ｆＴ／｜ｆ２｜＜７５．００      ・・・（１６Ｘ）
０．０５＜Ｍ２／ｆＴ＜２．００            ・・・（１７Ｘ）
ここで条件式（４Ｘ），（７Ｘ），（８Ｘ），（１０Ｘ），（１１Ｘ），（１６Ｘ），（１７Ｘ）の技術的意味は前述の（４），（７），（８），（１０），（１１），（１６）と同じである。
【０１５０】
また、さらに好ましくは条件式（４Ｘ），（７Ｘ），（８Ｘ），（１０Ｘ），（１１Ｘ），（１６Ｘ）、（１７Ｘ）の数値範囲を次の如く設定するのが良い。
【０１５１】
０．５４４４＜θｇＦ＜０．５９５０       ・・・（４Ｘａ）
０．６０＜ｆｐ／ｆ１＜２０．００         ・・・（７Ｘａ）
０．８０＜α＜３．００                   ・・・（８Ｘａ）
０．５０＜ｆＴ／ｆ１＜５．５０           ・・・（１０Ｘａ）
１．５０＜ｆ１／｜ｆ２｜＜１１．００     ・・・（１１Ｘａ）
２．５０＜ｆＴ／｜ｆ２｜＜５５．００     ・・・（１６Ｘａ）
０．０８＜Ｍ２／ｆＴ＜１．５０           ・・・（１７Ｘａ）
また、さらに好ましくは条件式（４Ｘａ），（７Ｘａ），（８Ｘａ），（１０Ｘａ），（１１Ｘａ），（１６Ｘａ）、（１７Ｘａ）の数値範囲を次の如く設定するのが良い。
【０１５２】
０．５４４５＜θｇＦ＜０．５９００       ・・・（４Ｘｂ）
１．００＜ｆｐ／ｆ１＜１５．００         ・・・（７Ｘｂ）
０．９０＜α＜１．６０                   ・・・（８Ｘｂ）
０．９０＜ｆＴ／ｆ１＜４．８０           ・・・（１０Ｘｂ）
２．００＜ｆ１／｜ｆ２｜＜１０．５０     ・・・（１１Ｘｂ）
４．５０＜ｆＴ／｜ｆ２｜＜４８．００     ・・・（１６Ｘｂ）
０．１２＜Ｍ２／ｆＴ＜１．１０           ・・・（１７Ｘｂ）
次に実施例ごとのズームレンズの構成および好ましい数値範囲について説明する。
【０１５３】
実施例７のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、正の屈折力の第４レンズ群Ｌ４、絞りＳＰ、正の屈折力の第５レンズ群Ｌ５の５つのレンズ群から構成されている。ズーミングに際して第１レンズ群Ｌ１と第５レンズ群Ｌ５は不動である。広角端から望遠端へのズーミングに際して、第２レンズ群が像側に移動し、第３レンズ群は物体側に凸の軌跡で移動し、第４レンズ群は物体側に凸の軌跡で移動する。
【０１５４】
実施例７のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。
【０１５５】
また、ズーミングに際し、開口絞りＳＰ及び開口絞りＳＰより像側のレンズ群である第５レンズ群Ｌ５が不動であることで、広角端からＦ（Ｆナンバー）落ちポイントまでのズーム範囲でＦナンバーを一定に保っている。また、高性能化による第１レンズ群Ｌ１のレンズ枚数を削減し、レンズの小型化を図るためには、高屈折率材料である異常分散ガラスの使用が重要となる。
【０１５６】
第１レンズ群Ｌ１は物体側から像側へ順に、フォーカシングに際して不動負の屈折力の第１部分群Ｌ１ａ、フォーカシングに際して光軸上を移動する正の屈折力の第２部分群Ｌ１ｂからなる。無限遠から近距離へフォーカスを行う場合に、第２部分群Ｌ１ｂが光軸上を物体側へ移動する。
【０１５７】
実施例８のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５は不動である。広角端から望遠端へのズーミングに際して、第２レンズ群Ｌ２が像側に移動し、第３レンズ群は物体側に移動する。
【０１５８】
実施例８のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。
【０１５９】
また、ズーミングに際し、開口絞りＳＰ及び開口絞りＳＰより像側の第５レンズ群Ｌ５が不動であることで、これにより広角端からＦ落ちポイントまでのズーム範囲でＦナンバーを一定に保っている。また、高性能化による第１レンズ群Ｌ１のレンズ枚数を削減し、レンズの小型化を図るためには、高屈折率材料である異常分散ガラスの使用が重要となる。
【０１６０】
第１レンズ群Ｌ１は物体側から像側へ順に、合焦時に不動の負の屈折力の第１部分群Ｌ１ａ、合焦時に光軸上を移動する正の屈折力の第２部分群Ｌ１ｂ、合焦時に光軸上を移動する正の屈折力の第３部分群Ｌ１ｃからなる。
【０１６１】
無限遠から近距離へフォーカスを行う場合には、第１レンズ群Ｌ１のうち第２部分群Ｌ１ｂ及び第３部分群Ｌ１ｃを、互いに異なった軌跡で光軸上を移動させてフォーカシングを行うフローティングインナーフォーカス式を採用している。無限遠から近距離へフォーカスを行う場合に、第２部分群Ｌ１ｂ及び第３部分群Ｌ１ｃが光軸上を物体側へ移動する。このとき第２部分群Ｌ１ｂの方が第３レンズ群Ｌ１ｃに比べて移動量が大きい。
【０１６２】
実施例７，８において開口絞りＳＰは、第２レンズ群Ｌ２と第３レンズ群Ｌ３との間に配置されている。
【０１６３】
実施例７、８のズームレンズは、無限遠から近距離へのフォーカシングに際して第１レンズ群Ｌ１の第２部分群Ｌ１ｂは物体側へ移動している。実施例８では更に第３部分群Ｌ１ｃを第２部分群Ｌ１ｂに比べて少ない量、物体側へ移動している。
【０１６４】
実施例７、８のズームレンズにおいて更に好ましくは次の条件式のうち１つ以上を満足するのが良い。
【０１６５】
広角端から望遠端へのズーミングにおける第２レンズ群Ｌ２の移動量をＭ２とする。このとき次の条件式のうち１つ以上を満足するのが良い。
【０１６６】
０．５４４３＜θｇＦ＜０．６０００        ・・・（１０４）
０．４＜ｆｐ／ｆ１＜２０．０             ・・・（１０７）
０．５０＜α＜５．００                   ・・・（１０８）
２．００＜ｆＴ／ｆ１＜６．５０           ・・・（１１０）
３．００＜ｆ１／｜ｆ２｜＜１２．００     ・・・（１１１）
１．０＜ｆＴ／｜ｆ２｜＜６０．０         ・・・（１１６）
０．０５＜Ｍ２／ｆＴ＜２．００           ・・・（１１７）
第１レンズ群Ｌ１がズーミングに際し不動とすると、重量が重い第１レンズ群Ｌ１全体を駆動する必要がなくなり、機構の簡略化が容易となる。また、ズーミングの際にレンズ全長を一定とする効果を有する。また、広角端から望遠端へのズーミングに際して負の屈折力の第２レンズ群Ｌ２が像側に移動することで、高いズーム倍率を確保することが容易となる。
【０１６７】
この他、ズーミングに際し移動しない第１レンズ群Ｌ１内でフォーカシングを行うことで、近距離撮影時のズーム倍率の変動を防ぐことができる。また、フォーカシングに際して不動の第１部分群Ｌ１ａと、物体側に移動する第２部分群Ｌ１ｂを有する構成では、第１レンズ群Ｌ１が少ない枚数のレンズで、フォーカシング時のレンズ全長を維持したまま、フォーカシングを行うことができる。
【０１６８】
また、第２部分群Ｌ１ｂの像側に、フォーカシングの際に物体側に移動する第３部分群Ｌ１ｃを有する場合には、第２部分群Ｌ１ｂと第３部分群Ｌ１ｃがそれぞれ別の軌跡で移動しても良い。これによれば、フォーカシングの際の収差変動を抑制することが容易となる。
【０１６９】
また、フォーカスを行う第１レンズ群内に高屈折率材料である異常分散ガラスを用いることにより、フォーカスの際の軸上色収差等の諸収差の変動を抑制することが容易となる。
【０１７０】
ここで、条件式（１０４）、（１０７）、（１０８）、（１１０）、（１１１）、（１１６）の各々の技術的意味は前述した条件式（４）、（７）、（８）、（１０）、（１１）、（１６）の技術的意味と同じである。
【０１７１】
条件式（１１７）は望遠端における全系の焦点距離とズーミングにおける第２レンズ群Ｌ２の移動量の比を規定する。
【０１７２】
条件式（１１７）の上限値を超えて、第２レンズ群Ｌ２の移動量が大きくなると、レンズ全長が増大し、レンズが大型化するため、好ましくない。あるいは、望遠端における全系の焦点距離が短くなりすぎるため、所定のズーム倍率を確保するのが困難となる。
【０１７３】
条件式（１１７）の下限値を超えて、第２レンズ群Ｌ２の移動量が小さくなると、第２レンズ群Ｌ２の焦点距離が短くなり、球面収差やコマ収差が増大して、これらの諸収差の補正困難となるため好ましくない。あるいは望遠端における全系の焦点距離が長くなりすぎると、望遠端における軸上色収差などの諸収差の補正が困難となる。
【０１７４】
なお、各実施例において、好ましくは、条件式（１０４）、（１０７）、（１０８）、（１１０）、（１１１）、（１１６）、（１１７）の数値範囲を次の如くするのが良い。
【０１７５】
０．５４４４＜θｇＦ＜０．５９５０        ・・・（１０４ａ）
０．５０＜ｆｐ／ｆ１＜１５．００          ・・・（１０７ａ）
０．８０＜α＜３．００                    ・・・（１０８ａ）
２．００＜ｆＴ／ｆ１＜６．００            ・・・（１１０ａ）
３．３０＜ｆ１／｜ｆ２｜＜１１．７５      ・・・（１１１ａ）
４．００＜ｆＴ／｜ｆ２｜＜５５．００      ・・・（１１６ａ）
０．１０＜Ｍ２／ｆＴ＜１．００            ・・・（１１７ａ）
また、さらに好ましくは条件式（１０４ａ）、（１０７ａ）、（１０８ａ）、（１１０ａ）、（１１１ａ）、（１１６ａ）、（１１７ａ）の数値範囲を次の如く設定すると、先に述べた各条件式が意味する効果を最大限に得られる。
【０１７６】
０．５４４５＜θｇＦ＜０．５９００        ・・・（１０４ｂ）
０．６０＜ｆｐ／ｆ１＜１０．０  ０        ・・・（１０７ｂ）
０．９０＜α＜１．６０                    ・・・（１０８ｂ）
２．００＜ｆＴ／ｆ１＜５．００            ・・・（１１０ｂ）
３．５０＜ｆ１／｜ｆ２｜＜１１．５０      ・・・（１１１ｂ）
８．００＜ｆＴ／｜ｆ２｜＜５０．００      ・・・（１１６ｂ）
０．１５＜Ｍ２／ｆＴ＜０．５０            ・・・（１１７ｂ）
また実施例において、好ましくは、最も像側のレンズ群がズーミングに際して不動とすることが望ましい。第１レンズ群Ｌ１と最も像側のレンズ群が不動であると、レンズ全長が変化しないという効果を奏する。
【０１７７】
また実施例７、８において、好ましくは、ズーミング及びフォーカシングに際し開口絞りＳＰが不動であることが好ましい。開口絞りＳＰが不動であることにより、Ｆ（Ｆナンバー）落ちのズーム位置までの全ズーム範囲でＦナンバーを一定に保つことができる。また実施例７、８において、好ましくは、ズーミング及びフォーカシングに際し開口絞りＳＰよりも像側のレンズ群が不動であることが好ましい。開口絞りＳＰが不動であることにより、Ｆ落ちのズーム位置までのＦナンバーを一定に保つことができる。
【０１７８】
また実施例７、８において、好ましくは、最も像側のレンズ群が正の屈折力であることが好ましい。また実施例７、８において、広角端から望遠端のズーミングの際の第３レンズ群Ｌ３が、第２レンズ群Ｌ２の移動量と同程度であり、共に像側に移動する場合、実質的に第２レンズ群Ｌ２と第３レンズ群Ｌ３は一つのレンズ群として考えることができる。
【０１７９】
広角端から望遠端のズーミングにおける第３レンズ群Ｌ３の移動量をＭ３としたとき、下記の条件式、
０．７５＜Ｍ２／Ｍ３＜１．２５          ・・・（１１８）
を満足する場合は、望遠端における第２レンズ群Ｌ２と第３レンズ群Ｌ３の合成焦点距離ｆ２３Ｔを上記の条件式（１１１）、（１１１ａ）、（１１１ｂ）（１１６）、（１１６ａ）、（１１６ｂ）におけるｆ２として考え上記の条件式を満足することが好ましい。
【０１８０】
実施例９のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４、絞りＳＰ、正の屈折力の第５レンズ群Ｌ５の５つのレンズ群から構成されている。
【０１８１】
ズーミングに際して第１レンズ群Ｌ１と第５レンズ群Ｌ５は不動である。広角端から望遠端へのズーミングに際して、第２レンズ群が像側に移動し、第３レンズ群は物体側に凸の軌跡で移動し、第４レンズ群は物体側に凸の軌跡で移動する。
【０１８２】
実施例９のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。
【０１８３】
また、ズーミングに際し、開口絞りＳＰ及び開口絞りＳＰより像側の第５レンズ群Ｌ５が不動であることで、これにより広角端からＦ落ちポイントまでのズーム範囲でＦナンバーを一定に保っている。また、高性能化による第１レンズ群のレンズ枚数を削減し、レンズの小型化を図るためには、高屈折率材料である異常分散ガラスの使用が重要となる。
【０１８４】
第１レンズ群Ｌ１は物体側から像側へ順に、合焦時に不動の負の屈折力の第１部分群Ｌ１ａ、合焦時に光軸上を移動する正の屈折力の第２部分群Ｌ１ｂ、合焦時に不動の正の屈折力の第３部分群Ｌ１ｃからなる。フォーカスを行う場合には、第１レンズ群Ｌ１のうち第２部分群Ｌ１ｂを、光軸上を移動させてフォーカシングを行うインナーフォーカス式を採用している。無限遠から近距離へフォーカスを行う場合に、第２部分群Ｌ１ｂが光軸上を像側へ移動する。
【０１８５】
実施例１０のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４の４つのレンズ群から構成されている。
【０１８６】
ズーミングに際して第１レンズ群Ｌ１と第４レンズ群Ｌ４は不動である。広角端から望遠端へのズーミングに際して、第２レンズ群Ｌ２が像側に移動し、第３レンズ群Ｌ３は物体側に凸状の軌跡で移動する。
【０１８７】
実施例１０のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。
【０１８８】
また、ズーミングに際し、開口絞りＳＰ及び開口絞りＳＰより像側の第４レンズ群Ｌ４が不動であることで、広角端からＦ落ちポイントまでのズーム範囲でＦナンバーを一定に保っている。また、高性能化による第１レンズ群Ｌ１のレンズ枚数を削減し、レンズの小型化を図るためには、高屈折率材料である異常分散ガラスの使用が重要となる。
【０１８９】
第１レンズ群Ｌ１は物体側から像側へ順に、合焦時に不動の負の屈折力の第１部分群Ｌ１ａ、合焦時に光軸上を移動する正の屈折力の第２部分群Ｌ１ｂ、合焦時に不動の正の屈折力の第３部分群Ｌ１ｃからなる。フォーカスを行う場合には、第１レンズ群のうち第２部分群Ｌ１ｂを、光軸上を移動させてフォーカシングを行うインナーフォーカス式を採用している。無限遠から近距離へフォーカスを行う場合に、第２部分群Ｌ１ｂが光軸上を像側へ移動する。
【０１９０】
実施例９、１０のズームレンズは無限遠から近距離へのフォーカシングに際して第１レンズ群Ｌ１に含まれる第２部分群Ｌ１ｂは像側へ移動している。
【０１９１】
実施例９において開口絞りＳＰは、第４レンズ群Ｌ４と第５レンズ群Ｌ５との間に配置されている。
【０１９２】
実施例１０において開口絞りＳＰは、第３レンズ群Ｌ３と第４レンズ群Ｌ４との間に配置されている。
【０１９３】
実施例９、１０のズームレンズにおいて更に好ましくは次の条件式のうち１つ以上を満足するのが良い。広角端から望遠端へのズーミングにおける第２レンズ群Ｌ２の移動量をＭ２とする。
【０１９４】
このとき次の条件式のうち１つ以上を満足するのが良い。
【０１９５】
０．５４４３＜θｇＦ＜０．６０００        ・・・（２０４）
０．８０＜ｆｐ／ｆ１＜４０．００          ・・・（２０７）
０．５０＜α＜５．００                    ・・・（２０８）
１．００＜ｆＴ／ｆ１＜４．００            ・・・（２１０）
１．００＜ｆ１／｜ｆ２｜＜６．５０        ・・・（２１１）
１．００＜ｆＴ／｜ｆ２｜＜６０．０  ０    ・・・（２１６）
０．０５＜Ｍ２／ｆＴ＜２．００            ・・・（２１７）
第１レンズ群がズーミングに際して不動であることで、重量が重い第１レンズ群全体を駆動する必要がなくなり、機構の簡略化が可能となる。また、変倍の際にレンズ全長を一定とする効果を奏する。また、負の屈折力の第２レンズ群が像側に移動することで、高いズーム倍率を確保することができる。
【０１９６】
ズーミングに際し移動しない第１レンズ群内でフォーカシングを行うことで、近距離撮影時のズーム倍率の変動を防ぐことができる。また、フォーカシングに際し不動の第１部分群Ｌ１ａと、フォーカシングに際し像側に移動する第２部分群Ｌ１ｂ、フォーカシングに際し不動の第３部分群Ｌ１ｃを有することで、フォーカス時の画界変化を抑えることができる。
【０１９７】
また、フォーカスを行う第１レンズ群内に高屈折率材料である異常分散ガラスを用いることにより、フォーカスの際の軸上色収差等の諸収差の変動を抑制することが容易となる。
【０１９８】
ここで条件式（２０４）、（２０７）、（２０８）、（２１０）、（２１１）、（２１６）、（２１７）の各々の技術的意味は前述した条件式（４）、（７）、（８）、（１０）、（１１）、（１６）、（１１７）の技術的意味と同じである。
【０１９９】
なお、各実施例において、好ましくは、条件式（２０４）、（２０７）、（２０８）、（２１０）、（２１１）、（２１６）、（２１７）の数値範囲を次の如くするのが良い。
【０２００】
０．５４４４＜θｇＦ＜０．５９５０        ・・・（２０４ａ）
１．００＜ｆｐ／ｆ１＜３０．００          ・・・（２０７ａ）
０．８０＜α＜３．００                    ・・・（２０８ａ）
１．００＜ｆＴ／ｆ１＜３．７５            ・・・（２１０ａ）
１．００＜ｆ１／｜ｆ２｜＜６．２５        ・・・（２１１ａ）
１．５０＜ｆＴ／｜ｆ２｜＜４０．００      ・・・（２１６ａ）
０．１５＜Ｍ２／ｆＴ＜１．８０            ・・・（２１７ａ）
また、さらに好ましくは条件式（２０４ａ）、（２０７ａ）、（２０８ａ）、（２１０ａ）、（２１１ａ）、（２１６ａ）、（２１７ａ）の数値範囲を次の如く設定すると、先に述べた各条件式が意味する効果を最大限に得られる。
【０２０１】
０．５４４５＜θｇＦ＜０．５９００        ・・・（２０４ｂ）
１．２０＜ｆｐ／ｆ１＜２０．００          ・・・（２０７ｂ）
０．９０＜α＜１．６０                    ・・・（２０８ｂ）
１．００＜ｆＴ／ｆ１＜３．５０            ・・・（２１０ｂ）
１．００＜ｆ１／｜ｆ２｜＜６．００        ・・・（２１１ｂ）
２．００＜ｆＴ／｜ｆ２｜＜２０．００      ・・・（２１６ｂ）
０．２０＜Ｍ２／ｆＴ＜１．６０            ・・・（２１７ｂ）
実施例９、１０では以上のように各要素を構成することにより、広角高変倍比であり、高性能である小型ハイスペックなズームレンズを得ることができる。また実施例９、１０において、好ましくは、最も像側のレンズ群が固定されていることが望ましい。第１レンズ群と最も像側のレンズ群がズーミングおよびフォーカシングに際して不動であることで、レンズ系全長が変化しないという効果を奏する。また実施例９、１０において、ズーミング及びフォーカシングに際し開口絞りが不動であることが好ましい。開口絞りが不動であることにより、Ｆ落ちポイントまでのＦナンバーを一定に保つことができる。
【０２０２】
また実施例９、１０において、好ましくは、ズーミング及びフォーカシングに際し開口絞りよりも像側のレンズ群が不動であることが好ましい。開口絞りが不動であることにより、Ｆ落ちポイントまでのＦナンバーを一定に保つことができる。また実施例９、１０において、広角端から望遠端のズーミングの際の第３レンズ群が、第２レンズ群の移動量と同程度であり、共に像側に移動する場合、実質的に第２レンズ群と第３レンズ群は一つのレンズ群として考えることができる。
【０２０３】
広角端から望遠端のズーミングにおける第３レンズ群の移動量をＭ３としたとき、下記の条件式、
０．７５＜Ｍ２／Ｍ３＜１．２５        ・・・（２１８）
を満足する場合は、望遠端における第２レンズ群と第３レンズ群の合成焦点距離ｆ２３Ｔを上記の条件式（２１１）、（２１１ａ）、（２１１ｂ）、（２１６）、（２１６ａ）、（２１６ｂ）におけるｆ２として考え、上記の条件式を満足することが好ましい。
【０２０４】
実施例１１のズームレンズは、物体側より像側へ順に配置された次のレンズ群より構成されている。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４の４つのレンズ群から構成されている。
【０２０５】
広角端から望遠端へのズーミングに際して、第１レンズ群はズーミング時不動であり、第２レンズ群が像側に移動し、第３レンズ群は物体側に凸の軌跡で移動し、第４レンズ群は物体側に凸の軌跡で移動している。
【０２０６】
実施例１１のズームレンズは、第２レンズ群の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。
【０２０７】
また、高性能化による第１レンズ群Ｌ１のレンズ枚数を削減し、レンズの小型化を図るためには、高屈折率材料である異常分散ガラスの使用が重要となる。また、ズーミングに際し、広角端に比べ望遠端において第３レンズ群Ｌ３が物体側に位置するように移動させることにより、フォーカシング用の第４レンズ群Ｌ４のフォーカススペースを確保している。
【０２０８】
第４レンズ群Ｌ４は光軸上を移動させてフォーカシングを行うリヤフォーカス式を採用している。そして、第４レンズ群を移動させて変倍に伴う像面変動を補正すると共に、フォーカシングを行っている。
【０２０９】
ズーミングにおける第４レンズ群Ｌ４の移動軌跡を物体側に凸状とすることで、第３レンズ群Ｌ３と第４レンズ群Ｌ４の空間の有効利用を図り、レンズ全長の短縮化を効果的に達成している。
【０２１０】
第４レンズ群Ｌ４に関する実線の曲線４ａと点線の曲線４ｂは、各々無限遠と近距離にフォーカスしているときの変倍に伴う像面変動を補正するための移動軌跡である。また望遠端において、無限遠から近距離へフォーカスを行う場合には、矢印４Ｃに示す如く第４レンズ群Ｌ４を前方に繰出すことで行っている。
【０２１１】
実施例１２のズームレンズは、物体側より像側へ順に配置された次のレンズ群より構成されている。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５の５つのレンズ群から構成されている。
【０２１２】
ズーミングに際して第１レンズ群Ｌ１と第５レンズ群Ｌ５は不動である。広角端から望遠端へのズーミングに際して、第２レンズ群Ｌ２が像側に移動し、第３レンズ群Ｌ３は物体側に凸状の軌跡で移動し、第４レンズ群Ｌ４は像側に凸状の軌跡で移動する。
【０２１３】
実施例１２のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、高性能化による第１レンズ群Ｌ１のレンズ枚数を削減し、レンズの小型化を図るためには、高屈折率材料である異常分散ガラスの使用が重要となる。
【０２１４】
第４レンズ群Ｌ４は光軸上を移動させてフォーカシングを行うリヤフォーカス式を採用している。そして、第４レンズ群Ｌ４を移動させて変倍に伴う像面変動を補正すると共に、フォーカシングを行っている。第４レンズ群Ｌ４に関する実線の曲線４ａと点線の曲線４ｂは、各々無限遠と近距離にフォーカスしているときの変倍に伴う像面変動を補正するための移動軌跡である。また望遠端において、無限遠から近距離へフォーカスを行う場合には、矢印４Ｃに示す如く第４レンズ群Ｌ４を後方（像側）に繰込むことで行っている。
【０２１５】
実施例１１，１２において開口絞りＳＰは、第２レンズ群Ｌ２と第３レンズ群Ｌ３との間に配置されている。
【０２１６】
実施例１１、１２のズームレンズにおいて更に好ましくは次の条件式のうち１つ以上を満足するのが良い。広角端から望遠端へのズーミングにおける第２レンズ群Ｌ２の移動量をＭ２とする。
【０２１７】
このとき次の条件式のうち１つ以上を満足するのが良い。
【０２１８】
０．５４４３＜θｇＦ＜０．６０００        ・・・（３０４）
０．４０＜ｆｐ／ｆ１＜１５．００          ・・・（３０７）
０．５０＜α＜５．００                    ・・・（３０８）
０．２０＜ｆＴ／ｆ１＜６．００            ・・・（３１０）
３．００＜ｆ１／｜ｆ２｜＜１０．００      ・・・（３１１）
−２．５０＜（Ｒ１ｐ−Ｒ２ｐ）／（Ｒ１ｐ＋Ｒ２ｐ）＜−０．１０
・・・（３１５）
１．００＜ｆＴ／｜ｆ２｜＜７５．００      ・・・（３１６）
０．０５＜Ｍ２／ｆＴ＜２．００            ・・・（３１７）
第１レンズ群がズーミングに際し不動であることで、重量が重い第１レンズ群全体を駆動する必要がなくなり、機構の簡略化が可能となる。また、変倍の際にレンズ全長を一定とする効果を奏する。また、負の屈折力の第２レンズ群が像側に移動することで、高いズーム倍率を確保することができる。
【０２１９】
また、第１レンズ群内の正の屈折力のレンズとして高部分分散比のガラス硝材を使用することで、第１レンズ群内の正の屈折力のレンズが２枚から４枚で、望遠端の軸上色収差を良好に補正することが可能となる。
【０２２０】
また、第１レンズ群は、負レンズは最も物体側に１枚のみ有する構成であることが好ましい。第１レンズ群内に複数の負レンズを含む場合、枚数が増加により第１レンズ群長が長くなり、軸外光線の高さが増加するため小型化に不利である。また第１レンズ群内の最も物体側以外の位置に負レンズを含む構成とした場合、第１レンズ群のレトロ比が下がり、広角化に不利となる。
【０２２１】
ここで条件式（３０４）、（３０７）、（３０８）、（３１０）、（３１１）、（３１５）、（３１６）、（３１７）の各々の技術的意味は前述した条件式（４）、（７）、（８）、（１０）、（１１）、（１５）、（１６）、（１１７）の技術的意味と同じである。
【０２２２】
なお、各実施例において、好ましくは、条件式（３０４）、（３０７）、（３０８）、（３１０）、（３１１）、（３１５）、（３１６）、（３１７）の数値範囲を次の如くするのが良い。
【０２２３】
０．５４４４＜θｇＦ＜０．５９５０        ・・・（３０４ａ）
０．５０＜ｆｐ／ｆ１＜１０．００          ・・・（３０７ａ）
０．８０＜α＜３．００                    ・・・（３０８ａ）
０．２５＜ｆＴ／ｆ１＜５．５０            ・・・（３１０ａ）
３．５０＜ｆ１／｜ｆ２｜＜９．００        ・・・（３１１ａ）
−１．６０＜（Ｒ１ｐ−Ｒ２ｐ）／（Ｒ１ｐ＋Ｒ２ｐ）＜−０．２０
・・・（３１５ａ）
１．５０＜ｆＴ／｜ｆ２｜＜７０．００      ・・・（３１６ａ）
０．０８＜Ｍ２／ｆＴ＜１．５０            ・・・（３１７ａ）
また、さらに好ましくは条件式（３０４ａ）、（３０７ａ）、（３０８ａ）、（３１０ａ）、（３１１ａ）、（３１５ａ）、（３１６ａ）、（３１７ａ）の数値範囲を次の如く設定すると、先に述べた各条件式が意味する効果を最大限に得られる。
【０２２４】
０．５４４５＜θｇＦ＜０．５９００        ・・・（３０４ｂ）
１．２０＜ｆｐ／ｆ１＜５．０              ・・・（３０７ｂ）
０．９０＜α＜１．６０                    ・・・（３０８ｂ）
０．３０＜ｆＴ／ｆ１＜５．００            ・・・（３１０ｂ）
４．００＜ｆ１／｜ｆ２｜＜８．００        ・・・（３１１ｂ）
−１．３０＜（Ｒ１ｐ−Ｒ２ｐ）／（Ｒ１ｐ＋Ｒ２ｐ）＜−０．２５
・・・（３１５ｂ）
２．０＜ｆＴ／｜ｆ２｜＜６５．０          ・・・（３１６ｂ）
０．１０＜Ｍ２／ｆＴ＜１．００            ・・・（３１７ｂ）
また実施例１１、１２において、好ましくは、最も像側のレンズ群が固定されていることが望ましい。第１レンズ群と最も像側のレンズ群が固定されていることで、レンズ系全長が変化しないという効果を奏する。また実施例１１、１２において、広角端から望遠端へのズーミングに際して、第２レンズ群の移動量第３レンズ群の移動量とが同程度であり、いずれも像側に移動する場合、第２レンズ群と第３レンズ群を実質的に一つのレンズ群として考えることができる。
【０２２５】
広角端から望遠端のズーミングにおける第３レンズ群の移動量をＭ３としたとき、下記の条件式、
０．７５＜Ｍ２／Ｍ３＜１．２５          ・・・（３１８）
を満足する場合は、望遠端における第２レンズ群と第３レンズ群の合成焦点距離ｆ２３Ｔを上記の条件式（３１１）、（３１１ａ）、（３１１ｂ）（３１６）、（３１６ａ）、（３１６ｂ）におけるｆ２として考え、上記の条件式を満足することが好ましい。
【０２２６】
実施例１１、１２では以上のように各要素を構成することにより、広角で高変倍比であり、高性能である小型ハイスペックなズームレンズを得ることができる。
【０２２７】
各実施例において、好ましくは、第１レンズ群Ｌ１のレンズの枚数は次の如く構成するのが良い。
【０２２８】
ズーム比が８０を超えるようなズームレンズにおいて小型化を実現する場合、第１レンズ群Ｌ１は広角端から望遠端において物体側に移動する構成とし、第１レンズ群Ｌ１は４枚以上で構成されることが好ましい。レンズ系が広角タイプの場合、軸外光線により第１レンズ群Ｌ１のレンズ外径が決まる。このため、第１レンズ群Ｌ１の構成レンズ枚数が少ないほど小型化に有利であるが、高倍率化を図るためには、第１レンズ群Ｌ１の構成枚数が少なすぎると球面収差やコマ収差、軸上色収差を共に補正することが困難となる。
【０２２９】
そのため、第１レンズ群Ｌ１の外径の決まる広角側のレンズ全長を縮めることで前玉における軸外光線の高さを低くし、第１レンズ群Ｌ１のレンズ枚数を増やしても大きさに大きな影響を与えない構成にすることが好ましい。特に、第１レンズ群Ｌ１がズーミングに際し可動する構成においては、第１レンズ群Ｌ１は物体側より、負レンズ、正レンズ、正レンズ、正のレンズの４枚、あるいは負レンズ、正レンズ、正レンズ、正のレンズ、正のレンズの５枚から構成することが好ましい。
【０２３０】
また、ズーム比が２０〜６０程度のズームレンズにおいては、第１レンズ群Ｌ１は物体側より負レンズ、正レンズ、正レンズ、正レンズの４枚あるいは、負レンズ、正レンズ、正レンズの３枚から構成することが好ましい。また、ズーム比が１０以下のズームレンズにおいては、第レンズ群Ｌ１は負レンズ、正レンズ、正レンズの３枚あるいは、負レンズ、正レンズの２枚から構成することが好ましい。また、第２レンズ群Ｌ２は、少なくとも負レンズ２枚、正レンズ１枚を有することが望ましい。
【０２３１】
ズーミングに際して移動する第２レンズ群Ｌ２を負レンズ先行のレンズ群構成にすることで、広角化に対応することが可能となる。開口絞りＳＰの像側に隣接するレンズ群Ｒ（第３レンズ群Ｌ３）は正の屈折力を有することが望ましい。広角端において、軸上光束は負の屈折力の第２レンズ群Ｌ２を通過すると発散光束となるが、第２レンズ群Ｌ２より像側に続く開口絞りＳＰの像側に隣接したレンズ群Ｒを正の屈折力とする。これにより光束に対して収斂作用を持たせ、後群のレンズ有効径を小さくすることができる。
【０２３２】
次に本発明のズームレンズを撮像光学系として用いたデジタルカメラ（撮像装置）の実施形態を、図２５を用いて説明する。
【０２３３】
図２５において、２０はデジタルカメラ本体、２１は上述の各実施例のズームレンズによって構成された撮像光学系、２２は撮像光学系２１によって被写体像を受光するＣＣＤ等の撮像素子である。２３は撮像素子２２が受光した被写体像を記録する記録手段、２４は不図示の表示素子に表示された被写体像を観察するためのファインダーである。
【０２３４】
上記表示素子は液晶パネル等によって構成され、撮像素子２２上に形成された被写体像が表示される。
【０２３５】
このように本発明のズームレンズをデジタルカメラ等の光学機器に適用することにより、小型で高い光学性能を有する光学機器を実現している。
【０２３６】
次に本発明のズームレンズを撮像光学系として用いたＴＶカメラ（撮像装置）の実施形態を、図２７を用いて説明する。図２７において１０１は実施例７から１０までのいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のＲレンズ群Ｒを有している。第１レンズ群Ｆはフォーカシングに際して移動するレンズ群が含まれている。
【０２３７】
変倍部ＬＺはズーミングに際して移動する少なくとも２つ以上のレンズ群が含まれている。変倍部ＬＺより像側には開口絞りＳＰ、Ｒ１レンズ群Ｒ１、Ｒ２レンズ群Ｒ２、Ｒ３レンズ群Ｒ３が配置され、光路中より挿抜可能なレンズユニットＩＥを有している。Ｒ１レンズ群とＲ２レンズ群Ｒ２との間にレンズユニットＩＥを挿入されることで、ズームレンズ１０１の全系の焦点距離範囲を変位している。
【０２３８】
１１４、１１５は各々第１レンズ群Ｆ、変倍部のＬＺを光軸方向に駆動するヘリコイドやカム等の駆動機構である。１１６〜１１８は駆動機構１１４、１１５および開口絞りＳＰを電気駆動するモータ（駆動手段）である。
【０２３９】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルターや色分解光学系に相当するガラスブロック、１１０はズームレンズ１０１によって形成された被写体像を受光するＣＣＤセンサやＣＭＯＳセンサなどの撮像素子（光電変換素子）である。また、１１１、１２２はカメラ１２４及びズームレンズ１０１の各種の駆動を制御するＣＰＵ（制御部）である。
【０２４０】
このように本発明のズームレンズをテレビカメラに適用することにより、高い光学性能を有する撮像装置を実現している。
【０２４１】
次に本発明の実施例１乃至１２に対応する数値データ１乃至１２を示す。各数値データにおいてｉは物体側からの面の順序を示す。
【０２４２】
ｒｉは物体側より順に第ｉ番目のレンズ面の曲率半径、ｄｉは物体側より順に第ｉ番目のレンズ厚および空気間隔、ｎｄｉとνｄｉは各々物体側より順に第ｉ番目のレンズの材料の屈折率とアッベ数である。
【０２４３】
θｇＦは部分分散比である。数値データ１乃至６、１１、１２において最も像側の２つの面、数値データ７乃至９において最も像側の３つの面はガラス部材である。ＢＦはバックフォーカスであり、最終レンズ面から像面までの空気換算での距離で示している。レンズ全長は第１レンズ面から最終レンズ面までの距離にバックフォーカスを加えた値である。
【０２４４】
非球面形状は光軸方向にＸ軸、光軸と垂直方向にＨ軸、光の進行方向を正とし、Ｒを近軸曲率半径、Ｋ、Ａ２、Ａ４、Ａ６、Ａ８、Ａ１０、Ａ１２を各々非球面係数としたとき、
【０２４５】
【数１】
2019204001.tif 000003
【０２４６】
で与えるものとする。
【０２４７】
各非球面形状において［ｅ−Ｘ］は［×１０−Ｘ］を意味している。
【０２４８】
また各光学面の間隔ｄが（可変）となっている部分は、ズーミングに際して変化するものであり、別表に焦点距離に応じた面間隔を示している。尚、以下に記載する数値データ１乃至１２のレンズデータに基づく各条件式の計算結果を表１、表２に示す。 
［数値データ１］
単位 mm
面データ
面番号       r        d      nd         νd      θgF
1        287.057    1.45   1.88300    40.8           
2         91.750    5.82   1.62000    64.0    0.5581
3       1602.233    0.05                             
4        101.701    5.21   1.43875    94.9           
5       1389.642    0.05                             
6        113.705    3.32   1.43875    94.9           
7        311.205  (可変)                             
8        188.656    0.75   1.88300    40.8           
9          9.169    4.10                             
10        184.230    0.60   1.80400    46.6           
11         50.366    1.77                             
12        -23.734    0.60   1.91082    35.3           
13         96.257    0.10                             
14         29.385    1.95   1.95906    17.5           
15        -72.230  (可変)                             
16(絞り)    ∞     (可変)                             
17*        12.461    1.96   1.55332    71.7           
18*        23.985    2.16                             
19         13.700    0.60   1.80400    46.6           
20         11.821    0.18                             
21         12.686    0.60   2.00330    28.3           
22          9.527    4.25   1.49700    81.5           
23        -16.342  (可変)                             
24         35.756    0.50   1.78590    44.2           
25         11.622    1.16   1.69895    30.1           
26         13.338  (可変)                             
27         20.021    2.96   1.51823    58.9           
28        -24.749    0.50   2.00069    25.5           
29        -46.533  (可変)                             
30          ∞       0.80   1.51633    64.1           
31          ∞       0.50                             
像面        ∞   
非球面データ
第17面
K = 4.82688e-001  A 4= 8.50828e-005  A 6=-1.76362e-007  
第18面
K = 0.00000e+000  A 4= 2.70778e-004  A 6= 3.97861e-007  
各種データ
ズーム比    126.52 
焦点距離       3.64     8.79    41.31   460.00  
Fナンバー      3.30     5.00     7.00     8.00  
半画角（度）   41.15    23.79     5.36     0.48  
レンズ全長   109.58    90.37   178.68   240.26  
BF             9.13    15.91    29.10     8.89  
d 7            0.75     1.87    89.60   137.09  
d15           40.88    14.34     3.11     0.36  
d16           10.46     6.01     5.16     0.02  
d23            3.46     4.10     4.50     6.70  
d26            4.27     7.50     6.58    46.58  
d29            8.10    14.89    28.07     7.86  
レンズ群データ
群  始面    焦点距離  
1    1     160.00  
2    8      -9.40  
3   16       ∞    
4   17      16.13  
5   24     -27.01  
6   27      36.03  
7   30       ∞  
［数値データ２］
単位 mm
面データ
面番号       r        d      nd         νd      θgF
1        217.331    1.45   1.88300    40.8           
2         79.931    6.89   1.43875    94.9           
3      -1017.461    0.05                             
4         93.721    3.00   1.60000    62.0     0.5581
5        175.127    0.00                             
6         82.177    5.06   1.43875    94.9           
7        428.968    0.05                             
8        167.113    1.76   1.64000    66.1     0.5581
9        289.932  (可変)                             
10*      -222.362    0.75   1.88300    40.8           
11*         9.179    2.46                             
12         20.305    0.60   1.80400    46.6           
13         13.368    2.87                             
14        -23.430    0.60   1.91082    35.3           
15        106.993    0.10                             
16         24.199    1.92   1.95906    17.5           
17        -87.387  (可変)                             
18(絞り)    ∞     (可変)                             
19*        13.723    2.46   1.55332    71.7           
20*       135.526    2.36                             
21         14.669    0.60   1.80400    46.6           
22         10.507    0.15                             
23         11.859    0.60   2.00330    28.3           
24          8.744    2.81   1.49700    81.5           
25        -14.491  (可変)                             
26       -111.210    0.50   1.78590    44.2           
27         11.000    1.25   1.69895    30.1           
28         20.911  (可変)                             
29         22.857    3.50   1.51823    58.9           
30        -17.777    0.50   2.00069    25.5           
31        -27.219  (可変)                             
32          ∞       0.80   1.51633    64.1           
33          ∞       0.50                             
像面        ∞   
非球面データ
第10面
K = 0.00000e+000  A 4= 7.46283e-005  A 6=-7.21378e-007  A 8= 5.26991e-009  A10=-1.98137e-011  
第11面
K = 0.00000e+000  A 4= 5.62669e-005  A 6= 3.59237e-007  A 8= 1.33389e-008  
第19面
K =-4.99674e+000  A 4= 1.71404e-004  A 6=-6.24136e-006  
第20面
K = 0.00000e+000  A 4= 3.84390e-005  A 6=-5.49489e-006  
各種データ
ズーム比     84.95 
焦点距離       3.71     5.89    31.96   315.00  
Fナンバー      3.30     5.00     7.00     8.00  
半画角（度）   40.59    33.36     6.91     0.65  
レンズ全長   106.80    97.00   159.00   209.77  
BF             9.13    15.63    24.62    19.71  
d 9            0.75     2.58    68.31   107.04  
d17           37.74    17.99     7.17     0.57  
d18            9.57    12.20     4.33     0.42  
d25            3.36     1.92     3.88     3.26  
d28            3.96     4.39     8.40    36.49  
d31            8.10    14.60    23.59    18.69  
レンズ群データ
群  始面    焦点距離  
1    1     126.38  
2   10      -8.57  
3   18       ∞    
4   19      14.71  
5   26     -20.47  
6   29      31.42  
7   32       ∞    
［数値データ３］
単位 mm
面データ
面番号       r        d      nd         νd      θgF
1        145.624    1.45   1.83400    37.2           
2         69.783    5.40   1.43875    94.9           
3        517.557    0.05                             
4         82.299    4.17   1.43875    94.9           
5        446.889    0.05                             
6         87.579    3.80   1.55000    66.0     0.5669
7        428.131  (可変)                             
8*       410.560    0.75   1.88300    40.8           
9*         8.798    3.47                             
10         29.793    0.60   1.80400    46.6           
11         18.876    2.27                             
12        -26.850    0.60   1.91082    35.3           
13         47.231    0.10                             
14         21.901    2.09   1.95906    17.5           
15       -112.082  (可変)                             
16(絞り)    ∞     (可変)                             
17*        13.559    2.47   1.55332    71.7           
18*       108.103    1.72                             
19         13.618    0.60   1.80400    46.6           
20         10.661    0.28                             
21         14.218    0.60   2.00330    28.3           
22          9.948    2.60   1.49700    81.5           
23        -14.483    3.08                             
24        -74.996    0.50   1.78590    44.2           
25         11.000    1.25   1.69895    30.1           
26         28.743  (可変)                             
27         26.907    3.50   1.51823    58.9           
28        -18.618    0.50   2.00069    25.5           
29        -30.454  (可変)                             
30         80.000    1.00   1.51633    64.1           
31          ∞       0.50                             
32          ∞       0.50   1.51633    64.1           
33          ∞       0.50                             
像面        ∞   
非球面データ
第8面
K = 0.00000e+000  A 4= 1.47675e-005  A 6= 1.22161e-007  A 8= 2.65764e-009  A10=-2.73060e-011  
第9面
K = 0.00000e+000  A 4= 1.94247e-005  A 6=-6.86127e-007  A 8= 6.89976e-008  
第17面
K =-4.87960e+000  A 4= 1.75387e-004  A 6=-6.40539e-006  
第18面
K = 0.00000e+000  A 4= 3.84390e-005  A 6=-5.49489e-006  
各種データ
ズーム比     85.76 
焦点距離       3.71     5.52    28.11   318.00  
Fナンバー      3.30     5.00     6.00     8.00  
半画角（度）   40.59    35.05     7.85     0.70  
レンズ全長   107.03    94.55   152.64   202.85  
BF             1.33     1.33     1.33     1.33  
d 7            0.75     0.30    57.61    98.09  
d15           40.13    28.52    12.61     0.10  
d16            9.23     4.63     1.27     1.00  
d26            4.74     5.82    13.66    39.38  
d29            7.96    11.07    23.27    20.06  
レンズ群データ
群  始面    焦点距離  
1    1     117.35  
2    8      -8.53  
3   16       ∞    
4   17      21.81  
5   27      38.55  
6   30     154.94  
7   32       ∞    
［数値データ４］
単位 mm
面データ
面番号       r        d      nd         νd      θgF
1        171.881    1.21   1.83400    37.2           
2         45.603    5.00   1.49700    81.5           
3       -111.421    0.05                             
4         37.969    3.10   1.55000    56.8    0.5581 
5        142.673  (可変)                             
6      -1732.885    0.60   1.83481    42.7           
7          7.903    4.08                             
8        -28.465    0.50   1.80400    46.6           
9         34.589    0.05                             
10         16.169    1.79   1.94595    18.0           
11         84.438  (可変)                             
12(絞り)    ∞     (可変)                             
13*         8.546    2.75   1.49710    81.6           
14*       -31.652    2.27                             
15         14.617    0.50   1.90366    31.3           
16          7.903    1.06                             
17*        23.161    1.60   1.49710    81.6           
18*       -42.183  (可変)                             
19        -53.665    0.70   1.53160    55.8           
20         47.174  (可変)                             
21*        19.785    2.65   1.53160    55.8           
22        -25.066    0.20                             
23        -21.024    0.70   1.63540    23.9           
24        -44.120  (可変)                             
25          ∞       0.80   1.51633    64.1           
26          ∞       0.50                             
像面        ∞   
非球面データ
第13面
K =-2.78153e-001  A 4=-8.53095e-005  A 6= 1.39858e-007  A 8=-2.27596e-009  
第14面
K = 0.00000e+000  A 4= 1.17947e-004  A 6= 2.02236e-007  
第17面
K = 0.00000e+000  A 4=-5.27024e-005  A 6= 1.18865e-006  
第18面
K = 0.00000e+000  A 4=-1.02988e-004  A 6= 1.82715e-006  
第21面
K = 0.00000e+000  A 4=-2.32299e-006  A 6= 2.37301e-007  
各種データ
ズーム比     43.08 
焦点距離       4.40     7.04    29.23   189.50  
Fナンバー      3.49     4.25     5.36     6.96  
半画角（度）   35.84    28.83     7.55     1.17  
レンズ全長    87.68    81.29   109.09   132.42  
BF             7.29    10.74    23.12     8.74  
d 5            0.85     4.63    35.23    61.21  
d11           29.76    16.19     6.74     1.91  
d12           12.41    11.40     3.73     0.34  
d18            4.10     3.86     4.42     9.64  
d20            4.46     5.65     7.03    21.77  
d24            6.26     9.71    22.09     7.71  
レンズ群データ
群  始面    焦点距離  
1    1      78.24  
2    6      -8.95  
3   12       ∞    
4   13      17.05  
5   19     -47.11  
6   21      31.21  
7   25       ∞    
［数値データ５］
単位 mm
面データ
面番号       r        d      nd         νd      θgF
1        281.492    1.21   1.83400    37.2           
2         49.000    5.10   1.49700    81.5           
3        -94.252    0.05                             
4         40.203    2.78   1.65000    55.0     0.5784
5        120.997  (可変)                             
6        884.001    0.60   1.83481    42.7           
7          7.946    4.10                             
8        -29.362    0.50   1.80400    46.6           
9         35.381    0.05                             
10         16.185    1.79   1.94595    18.0           
11         78.707  (可変)                             
12(絞り)    ∞     (可変)                             
13*         8.601    2.75   1.49710    81.6           
14*       -35.195    2.22                             
15         14.380    0.50   1.90366    31.3           
16          7.933    1.04                             
17*        23.463    1.60   1.49710    81.6           
18*       -36.059  (可変)                             
19        -56.300    0.70   1.53160    55.8           
20         41.502  (可変)                             
21*        19.785    2.65   1.53160    55.8           
22        -25.062    0.20                             
23        -21.536    0.70   1.63540    23.9           
24        -48.860  (可変)                             
25          ∞       0.80   1.51633    64.1           
26          ∞       0.50                             
像面        ∞   
非球面データ
第13面
K =-2.78153e-001  A 4=-8.10189e-005  A 6= 1.03353e-007  A 8= 1.81812e-009  
第14面
K = 0.00000e+000  A 4= 1.12331e-004  A 6= 3.97751e-007  
第17面
K = 0.00000e+000  A 4=-5.32965e-005  A 6= 3.02663e-006  
第18面
K = 0.00000e+000  A 4=-1.06905e-004  A 6= 3.13064e-006  
第21面
K = 0.00000e+000  A 4=-3.68181e-006  A 6= 2.53969e-007  
各種データ
ズーム比     43.34 
焦点距離       4.40     7.01    29.24   190.91  
Fナンバー      3.51     4.26     4.06     6.96  
半画角（度）   35.81    28.95     7.55     1.16  
像高           3.18     3.88     3.88     3.88  
レンズ全長    87.83    81.43   110.23   134.46  
BF             7.50    10.67    23.05     8.44  
d 5            0.85     4.63    36.22    63.08  
d11           29.76    16.95     7.44     1.70  
d12           12.74    11.07     3.14     0.44  
d18            4.10     4.02     4.32     9.48  
d20            4.34     5.55     7.52    22.77  
d24            6.47     9.64    22.02     7.41  
レンズ群データ
群  始面    焦点距離  
1    1      79.93  
2    6      -9.18  
3   12       ∞    
4   13      16.98  
5   19     -44.83  
6   21      31.84  
7   25       ∞    
［数値データ６］
単位 mm
面データ
面番号       r        d      nd         νd      θgF
1         34.762    0.75   1.85478    24.8           
2         24.217    3.10   1.49700    81.5           
3       -132.070    0.05                             
4         23.806    1.43   1.60000    62.0    0.5581 
5         40.658  (可変)                             
6*        45.755    0.40   1.85135    40.1           
7*         5.824    2.56                             
8        -11.395    0.30   1.77250    49.6           
9          ∞       0.24                             
10        -31.137    0.30   1.77250    49.6           
11         33.326    0.08                             
12         14.546    1.11   1.95906    17.5           
13       -148.456  (可変)                             
14(絞り)    ∞     (可変)                             
15*         5.913    2.38   1.58313    59.5           
16*        86.119    0.27                             
17         10.639    0.40   1.80610    33.3           
18          4.382    2.72   1.49710    81.6           
19*      -139.685  (可変)                             
20         21.396    0.35   1.80400    46.6           
21          6.359    0.90   1.58144    40.8           
22         10.611  (可変)                             
23         12.931    2.50   1.53160    55.8           
24*        83.304    1.89                             
25          ∞       0.80   1.51633    64.1           
26          ∞       0.50                             
像面        ∞   
非球面データ
第6面
K = 0.00000e+000  A 4= 8.96274e-004  A 6=-1.92027e-004  A 8= 1.47192e-005  A10=-4.95882e-007  A12= 6.24852e-009  
第7面
K = 0.00000e+000  A 4= 1.10495e-003  A 6=-1.45209e-004  A 8= 1.06626e-006  A10= 8.99884e-007  A12=-3.15748e-008  
第15面
K = 5.14462e-001  A 4=-3.01948e-004  A 6=-4.73686e-005  A 8= 6.34460e-007  
第16面
K = 0.00000e+000  A 4= 4.28749e-004  A 6=-9.12002e-005  A 8= 4.87653e-006  
第19面
K = 0.00000e+000  A 4= 7.80899e-004  A 6= 1.06826e-004  A 8=-4.38942e-006  
第24面
K = 0.00000e+000  A 4= 4.49067e-005  A 6=-1.84659e-005  A 8= 4.55023e-007  A10=-4.67340e-009  
各種データ
ズーム比     23.76 
焦点距離       4.64     5.32    22.11   110.12  
Fナンバー      3.28     3.52     5.89     6.80  
半画角（度）   34.43    30.84     9.94     2.02  
レンズ全長    51.16    50.61    60.52    71.88  
BF             2.91     2.91     2.91     2.91  
d 5            0.39     0.91    14.14    28.21  
d13           15.30    13.98     5.93     0.52  
d14            4.41     3.79     0.82     0.56  
d19            3.11     3.39    10.50     8.10  
d22            5.20     5.79     6.36    11.72  
レンズ群データ
群  始面    焦点距離  
1    1      41.27  
2    6      -5.63  
3   14       ∞    
4   15       9.82  
5   20     -19.43  
6   23      28.44  
7   25       ∞    
［数値データ７］
単位 mm
面データ
面番号       r        d      nd         νd      θgF
1       -158.599    2.30   1.72047    34.7           
2        196.315    3.35                             
3        622.022    2.30   1.85025    30.1           
4         84.694   14.63   1.63000    66.3       0.5684
5       -167.355    0.40                             
6       1425.609    6.06   1.43387    95.1           
7       -182.635    6.90                             
8        101.561    9.40   1.61800    63.3           
9       -266.744    0.15                             
10         58.934    5.80   1.73000    49.0                  
11        149.251  (可変)                             
12         51.671    0.95   1.88300    40.8           
13         13.648    6.15                             
14        -60.383    6.90   1.80810    22.8           
15        -13.377    0.74   1.88300    40.8           
16         64.376    0.21                             
17         26.313    2.90   1.66680    33.0           
18         68.451  (可変)                             
19        -27.028    0.70   1.75700    47.8           
20         38.607    2.87   1.84649    23.9           
21      -2631.666  (可変)                             
22       -221.887    3.66   1.63854    55.4           
23        -33.463    0.15                             
24         81.325    3.70   1.51633    64.1           
25        -79.121  (可変)                             
26(絞り)    ∞       1.30                             
27         35.753    5.92   1.51742    52.4           
28        -38.894    0.90   1.83481    42.7           
29         85.495   32.40                             
30         62.428    4.61   1.49700    81.5           
31        -43.945    0.30                             
32       -185.748    1.40   1.83403    37.2           
33         21.191    5.38   1.48749    70.2           
34         78.334    0.29                             
35         81.112    6.50   1.50127    56.5           
36        -24.539    1.40   1.83481    42.7           
37        -49.774    2.04                             
38         34.492    5.30   1.50127    56.5           
39        -71.958    4.00                             
40          ∞      33.00   1.60859    46.4           
41          ∞      13.20   1.51633    64.1           
42          ∞       7.27                             
像面        ∞   
各種データ
ズーム比     16.25 
広角     中間     望遠
焦点距離       8.00    33.60   130.00  
Fナンバー      1.81     1.81     2.43  
半画角（度）   34.51     9.30     2.42  
像高           5.50     5.50     5.50  
レンズ全長   266.93   266.93   266.93  
BF             7.27     7.27     7.27  
d11            0.79    32.91    46.31  
d18           48.75     9.89     9.59  
d21            6.22    10.86     1.43  
d25            5.74     7.83     4.16  
レンズ群データ
群  始面    焦点距離  
1    1      61.00  
2   12     -14.20  
3   19     -39.48  
4   22      34.61  
5   26      46.18  
［数値データ８］
単位 mm
面データ
面番号       r        d      nd         νd      θgF
1      -2746.851    6.00   1.80100    35.0           
2        344.192    2.00                             
3        360.937   29.00   1.43387    95.1           
4       -652.049   25.07                             
5        472.269   21.50   1.43387    95.1           
6      -1244.222    0.25                             
7        252.430   28.00   1.43387    95.1           
8      -3666.887    1.00                             
9        189.389   20.00   1.55000    60.1       0.5897
10        355.152  (可変)                             
11*     -2688.536    2.11   2.00330    28.3           
12         42.522    7.69                             
13       -172.745    1.39   1.81600    46.6           
14         34.659    9.15   1.92286    18.9           
15       -214.766    2.40                             
16        -59.391    2.11   1.83400    37.2           
17       1253.585  (可変)                             
18        163.909   11.50   0.00000    67.0           
19*      -313.659    0.50                             
20        178.279   10.00   0.00000    67.0           
21       -262.718    0.20                             
22        120.889    2.00   1.84666    23.8           
23         62.680   18.00   1.43875    94.9           
24       -274.994    0.50                             
25        167.928    8.00   0.00000    67.0           
26*      29027.085  (可変)                             
27       -331.052    1.40   1.88300    40.8           
28         37.805    8.00   1.80810    22.8           
29        642.510  (可変)                             
30(絞り)    ∞       7.00                             
31        -46.887    2.00   1.88300    40.8           
32       2265.098    2.00                             
33         72.673    5.00   1.80810    22.8           
34       2393.401    2.00                             
35       2411.565    4.00   1.81600    46.6           
36        122.955    8.00                             
37        -56.401    2.00   1.83400    37.2           
38         70.844   11.00   1.51633    64.1           
39        -42.617    1.00                             
40      -1217.974   12.25   1.62041    60.3           
41        -58.874    5.00                             
42        840.806    8.00   1.54072    47.2           
43        -63.105    1.20                             
44         54.640    2.50   1.83400    37.2           
45         23.991    9.50   1.48749    70.2           
46         93.999    0.50                             
47         42.599    8.00   1.53172    48.8           
48        -81.243    3.00   1.88300    40.8           
49         33.405    2.00                             
50         27.335    8.00   1.51742    52.4           
51       -199.436    5.00                             
52          ∞      33.00   1.60859    46.4           
53          ∞      13.20   1.51633    64.2           
54          ∞       6.76                             
像面        ∞   
非球面データ
第11面
K =-1.92608e+004  A 4= 2.28037e-007  A 6= 4.80435e-010  A 8=-1.82891e-012  A10= 3.07549e-015  A12=-1.59560e-018  
第19面
K = 1.59874e+001  A 4= 1.08653e-007  A 6= 7.38584e-011  A 8=-4.00028e-015  A10=-2.00658e-018  A12=-1.30956e-022  
第26面
K =-2.13401e+007  A 4= 2.55051e-007  A 6=-5.76873e-011  A 8=-1.21548e-013  A10= 1.04718e-016  A12=-2.37249e-020  
各種データ
ズーム比    125.46 
広角     中間     望遠
焦点距離       8.93    59.94   1120.00  
Fナンバー      1.76     1.76     5.40  
半画角（度）   31.64     5.24     0.28  
像高           5.50     5.50     5.50  
レンズ全長   665.86   665.86   665.86  
BF             6.76     6.76     6.76  
d10            2.00   133.96   192.62  
d17          280.81   126.25     2.00  
d26            2.00    21.01    67.32  
d29            1.36     4.95    24.23  
レンズ群データ
群  始面    焦点距離  
1    1     250.00  
2   11     -24.70  
3   18      66.00  
4   27    -170.00  
5   30      68.67  
［数値データ９］
単位 mm
面データ
面番号       r        d      nd         νd      θgF
1        986.400    4.70   1.77250    49.6           
2        152.315   36.35                             
3       -389.257    4.50   1.77250    49.6           
4        649.417    0.15                             
5        309.455    9.28   1.71736    29.5           
6        773.725   10.00                             
7      -2927.374   14.00   1.49700    81.5           
8       -260.740    0.20                             
9       2461.113    4.40   1.80518    25.4           
10        290.226   15.00   1.49700    81.5           
11       -629.504   44.00                             
12        532.816   17.08   1.49700    81.5           
13       -273.087    0.15                             
14        458.740   12.43   1.49700    81.5           
15       -632.796    0.15                             
16        334.033    8.64   1.60000    62.0       0.5581
17       1546.906  (可変)                             
18*       557.320    1.50   1.77250    49.6           
19         97.578    5.64                             
20        438.891    1.50   1.72916    54.7           
21         34.755   10.46   1.84666    23.8           
22         94.827    6.11                             
23       -181.912    1.50   1.77250    49.6           
24         88.343  (可変)                             
25       1034.760    6.25   1.62041    60.3           
26       -139.471    0.15                             
27        134.131   11.11   1.48749    70.2           
28        -81.275    0.09                             
29        -86.919    1.60   1.80518    25.4           
30       -215.948  (可変)                             
31         88.441    1.60   1.80518    25.4           
32         57.856    9.30   1.48749    70.2           
33        416.792    0.15                             
34*        90.932    7.65   1.62041    60.3           
35       -557.289  (可変)                             
36(絞り)    ∞       2.98                             
37       -132.172    1.40   1.78800    47.4           
38         19.003    7.31   1.85478    24.8           
39       -627.106    1.40   1.78800    47.4           
40         70.223    5.93                             
41        -32.307   19.74   1.77250    49.6           
42        169.224    8.40                             
43        -97.904    1.50   1.53775    74.7           
44        184.659    7.45   1.64000    60.1           
45        -37.495    3.00                             
46      -1021.708    1.50   2.00100    29.1           
47         52.497    7.53   1.51633    64.1           
48        -91.762    0.66                             
49         82.364    7.00   1.49700    81.5           
50        -75.391    0.20                             
51         44.557    8.76   1.43875    94.9           
52        -72.016    1.00                             
53        -79.130    1.50   2.00069    25.5           
54         98.638    5.00   1.85896    22.7           
55        -97.924    8.00                             
56          ∞      33.00   1.60859    46.4           
57          ∞      13.20   1.51633    64.2           
58          ∞      10.00                             
像面        ∞   
非球面データ
第18面
K = 0.00000e+000  A 4= 2.65507e-007  A 6=-1.21934e-011  A 8=-1.74017e-015  A10=-3.97066e-017  A12= 8.17590e-021  
第34面
K = 0.00000e+000  A 4=-4.99441e-008  A 6=-4.51336e-010  A 8= 9.51567e-013  A10=-9.17379e-016  A12= 3.23522e-019  
各種データ
ズーム比     30.00 
広角     中間     望遠
焦点距離       6.50    35.00   195.00  
Fナンバー      1.49     1.50     2.20  
半画角（度）   40.24     8.93     1.62  
像高           5.50     5.50     5.50  
レンズ全長   625.00   625.00   625.00  
BF            10.00    10.00    10.00  
d17            3.00    93.37   214.58  
d24          216.24    59.28     6.33  
d30            2.67    40.45     1.00  
d35            1.00    29.81     1.00  
レンズ群データ
群  始面    焦点距離  
1    1     178.92  
2   18     -39.67  
3   25     110.08  
4   31      98.28  
5   36      31.00  
［数値データ１０］
単位 mm
面データ
面番号       r        d      nd         νd      θgF
1        794.405    3.20   1.77250    49.6           
2         61.483   23.90                             
3       -117.328    2.70   1.77250    49.6           
4        420.939    0.19                             
5        145.462    7.13   1.92286    20.9           
6        781.653    2.00                             
7        543.934   10.79   1.65000    65.5      0.5446
8*      -138.725    0.20                             
9        622.621   15.01   1.49700    81.5           
10        -76.527    2.50   1.80000    29.8           
11       -131.842    6.48                             
12        119.988    2.50   1.73800    32.3           
13         56.142   21.05   1.49700    81.5           
14       -180.468    0.20                             
15         72.805   11.83   1.53715    74.8           
16       -773.868    0.20                             
17         84.244    2.95   1.79000    45.5           
18         94.537  (可変)                             
19*        63.183    1.20   1.88300    40.8           
20         18.016    5.66                             
21        -99.851    4.19   1.84666    23.8           
22        -22.617    0.70   1.77250    49.6           
23        -98.979    2.20                             
24        -25.408    0.70   1.72916    54.7           
25        153.099    0.16                             
26         53.647    3.90   1.65412    39.7           
27        -80.735  (可変)                             
28        -34.231    0.90   1.65160    58.5           
29        104.898    2.42   1.80810    22.8           
30       -593.604  (可変)                             
31(絞り)    ∞       1.29                             
32        789.965    4.34   1.75500    52.3           
33        -62.245    0.20                             
34         68.487    5.16   1.61800    63.3           
35       -177.905    0.20                             
36         59.636    5.52   1.49700    81.5           
37       -150.686    1.20   2.00100    29.1           
38        216.922    0.20                             
39         43.410    9.67   1.51633    64.1           
40        -53.614    1.10   1.77250    49.6           
41         88.071   20.42                             
42         40.492    5.22   1.48749    70.2           
43        -51.230    0.20                             
44         27.109    5.50   1.48749    70.2           
45        -44.224    1.00   2.00069    25.5           
46         23.307    2.60                             
47        160.079    7.14   1.80810    22.8           
48        -15.492    1.00   1.88300    40.8           
49        264.025    9.05                             
50         34.351    4.95   1.48749    70.2           
51      -1645.989   37.82                             
像面        ∞   
非球面データ
第8面
K = 1.37949e+000  A 4= 2.10963e-007  A 6= 2.49669e-011
A 8=-8.31143e-014  A10= 1.33469e-016  A12=-1.15159e-019
A14= 4.94652e-023  A16=-8.37959e-027  
第19面
K = 3.22264e+000  A 4= 1.50250e-006  A 6=-1.35456e-008
A 8= 7.91301e-011  A10=-5.49408e-013  A12= 2.11357e-015
A14=-3.81816e-018  A16= 1.81480e-021  
各種データ
ズーム比      8.00 
広角     中間     望遠
焦点距離      20.00    70.00   160.00  
Fナンバー      2.80     2.80     3.62  
半画角（度）   37.87    12.52     5.55  
像高          15.55    15.55    15.55  
レンズ全長   310.06   310.06   310.06  
BF            37.82    37.82    37.82  
d18            0.69    33.24    44.35  
d27           41.36     5.87     6.17  
d30            9.40    12.33     0.93  
レンズ群データ
群  始面    焦点距離  
1    1      52.10  
2   19     -21.50  
3   28     -62.00  
4   31      36.77  
［数値データ１１］
単位 mm
面データ
面番号       r        d      nd         νd      θgF
1         52.111    1.35   1.84666    23.9           
2         26.730    6.05   1.55000    60.1       0.5897
3       -297.416    0.20                             
4         24.191    3.19   1.69680    55.5           
5         80.959  (可変)                             
6        126.519    0.80   1.83481    42.7           
7          7.058    3.00                             
8       -900.478    0.70   1.83481    42.7           
9         18.240    1.57                             
10        -20.959    0.60   1.83481    42.7           
11        367.442    0.14                             
12         22.385    1.83   1.92286    18.9           
13        -54.232  (可変)                             
14(絞り)    ∞     (可変)                             
15*         9.782    2.98   1.58313    59.4           
16       -129.866    3.82                             
17         53.762    0.70   1.80518    25.4           
18          9.521    0.46                             
19*        15.014    2.13   1.58313    59.4           
20        -61.461  (可変)                             
21         14.136    2.63   1.69680    55.5           
22        -23.265    0.70   1.84666    23.9           
23       -116.145  (可変)                             
24          ∞       2.95   1.51633    64.1           
25          ∞       0.04                             
像面        ∞   
非球面データ
第15面
K =-1.24240e+000  A 4= 6.61643e-005  A 6=-2.82349e-008  A 8= 1.79831e-009  
第19面
K =-4.16889e-001  A 4=-5.53903e-005  
各種データ
ズーム比      8.22 
広角     中間     望遠
焦点距離       4.38    12.27    36.02  
Fナンバー      1.85     2.42     2.88  
半画角（度）   34.66    13.86     4.81  
像高           3.03     3.03     3.03  
レンズ全長    77.54    77.54    77.54  
BF             0.04     0.04     0.04  
d 5            1.25    11.98    20.76  
d13           22.42    11.69     2.91  
d14            6.22     1.93     2.66  
d20            4.81     5.91     4.75  
d23            6.98    10.17    10.60  
レンズ群データ
群  始面    焦点距離  
1    1      36.84  
2    6      -7.16  
3   14       ∞    
4   15      20.05  
5   21      20.02  
6   24       ∞    
［数値データ１２］
単位 mm
面データ
面番号       r        d      nd         νd      θgF
1         77.205    1.30   1.85478    24.8           
2         41.165    5.56   1.49700    81.5           
3        569.136    0.15                             
4         41.162    4.75   1.61000    66.6       0.5897
5        178.361    0.10                             
6         30.626    5.04   1.61000    66.6       0.5897
7         58.280  (可変)                             
8         70.017    0.56   1.95375    32.3           
9          6.456    2.84                             
10         40.507    0.47   1.85150    40.8           
11         16.044    1.63                             
12        -21.720    0.47   1.77250    49.6           
13         23.708    0.23                             
14         15.973    2.17   1.95906    17.5           
15        -96.736  (可変)                             
16(絞り)    ∞     (可変)                             
17*        12.950    3.15   1.76450    49.1           
18         94.228    5.74                             
19         36.854    0.45   2.00330    28.3           
20         10.125    3.97   1.43700    95.1           
21        -20.157    0.10                             
22*         8.731    3.46   1.49700    81.5           
23*       -27.390  (可変)                             
24        -41.684    0.40   1.95375    32.3           
25          5.417  (可変)                             
26         15.629    2.62   1.84666    23.9           
27        -11.966    0.80                             
28          ∞       2.00   1.51633    64.1           
29          ∞       0.05                             
像面        ∞   
非球面データ
第17面
K =-4.45044e+000  A 4= 2.06475e-004  A 6=-1.75745e-006  A 8= 8.62270e-009  A10=-6.96136e-012  
第22面
K =-4.65883e+000  A 4= 6.85079e-004  A 6=-2.13877e-005  A 8= 5.00375e-007  A10=-4.33910e-009  
第23面
K =-1.25975e+001  A 4=-8.74057e-005  A 6=-9.13576e-006  A 8= 4.99019e-007  A10=-6.96630e-009  
各種データ
ズーム比     44.02 
広角     中間     望遠
焦点距離       4.43    41.05   195.19  
Fナンバー      1.65     3.00     4.90  
半画角（度）   35.81     4.46     0.94  
像高           3.20     3.20     3.20  
レンズ全長    89.05    89.05    89.05  
BF             0.05     0.05     0.05  
d 7            0.60    24.34    29.55  
d15           29.75     6.01     0.80  
d16            3.34     0.79     0.60  
d23            4.23     7.55     1.89  
d25            3.12     2.34     8.20  
レンズ群データ
群  始面    焦点距離  
1    1      43.83  
2    8      -6.00  
3   16       ∞    
4   17      12.68  
5   24      -5.01  
6   26       8.37  
7   28       ∞    
【０２４９】
【表１】
2019204001.tif 000004
【０２５０】
【表２】
2019204001.tif 000005
【符号の説明】
【０２５１】
Ｌ１  第１レンズ群      Ｌ２  第２レンズ群      Ｌ３  第３レンズ群
Ｌ４  第４レンズ群      Ｌ５  第５レンズ群
【図１】
2019204001.tif 000006
【図２】
2019204001.tif 000007
【図３】
2019204001.tif 000008
【図４】
2019204001.tif 000009
【図５】
2019204001.tif 000010
【図６】
2019204001.tif 000011
【図７】
2019204001.tif 000012
【図８】
2019204001.tif 000013
【図９】
2019204001.tif 000014
【図１０】
2019204001.tif 000015
【図１１】
2019204001.tif 000016
【図１２】
2019204001.tif 000017
【図１３】
2019204001.tif 000018
【図１４】
2019204001.tif 000019
【図１５】
2019204001.tif 000020
【図１６】
2019204001.tif 000021
【図１７】
2019204001.tif 000022
【図１８】
2019204001.tif 000023
【図１９】
2019204001.tif 000024
【図２０】
2019204001.tif 000025
【図２１】
2019204001.tif 000026
【図２２】
2019204001.tif 000027
【図２３】
2019204001.tif 000028
【図２４】
2019204001.tif 000029
【図２５】
2019204001.tif 000030
【図２６】
2019204001.tif 000031
【図２７】
2019204001.tif 000032